(57)【特許請求の範囲】
【請求項１】
液剤を貯留する容器本体と、
前記容器本体に装着される装着部と、
前記装着部に対して上下動可能に前記装着部に保持され、前記装着部に対して相対的に押し下げられることにより前記液剤を通過させるヘッド部と、
前記ヘッド部を通過した前記液剤を吐出する吐出口と、
前記装着部に対して第１軸支部において揺動可能に軸支され、前記第１軸支部を支点として下向き成分を持つ方向及びその反対方向に揺動可能な第１揺動部と、
前記第１揺動部に対して第２軸支部において揺動可能に軸支され、前記第２軸支部を支点として下向き成分を持つ方向及びその反対方向に揺動可能な第２揺動部と、
前記第２揺動部によって直接又は間接に支持されているとともに前記装着部に対して相対的に押し下げられる操作部と、
前記第１軸支部と前記第２軸支部との間に位置し、前記操作部が押し下げられる際に前記第１揺動部から前記ヘッド部に対して押下力を伝達する作用部と、
前記操作部が押し下げられる際に、前記第１揺動部に対する前記第２揺動部の揺動方向を、前記装着部に対する前記第１揺動部の揺動による前記操作部の姿勢変化を相殺する方向に規制する揺動規制部と、
を備え、
前記揺動規制部は、
前記ヘッド部又は前記第２揺動部の一方に形成されているガイド部と、
前記ヘッド部又は前記第２揺動部の他方に形成されていて、前記操作部が押し下げられる際に前記ガイド部に沿って摺動する被ガイド部と、
を含んで構成されている液剤吐出容器。
【請求項２】
前記操作部が押し下げられる際に前記第２揺動部の傾斜角度が一定に維持されるように、前記ガイド部の形状が設定されている請求項１に記載の液剤吐出容器。
【請求項３】
前記第１軸支部の軸及び前記第２軸支部の軸がそれぞれ水平且つ互いに平行に配置されており、
前記操作部が押し下げられる際に、
水平方向における前記第２軸支部の移動距離と、水平方向における前記被ガイド部の移動距離と、が互いに等しく、
下方への前記第２軸支部の移動距離が、下方への前記ヘッド部の移動距離と前記ガイド部に対して相対的に下方への前記被ガイド部の移動距離との和に等しくなるように、
前記ガイド部の形状が設定されている請求項１又は２に記載の液剤吐出容器。
【請求項４】
前記ヘッド部は、
ヘッド本体部と、
前記ヘッド本体部から水平方向成分を持つ方向に突出し、前記吐出口が形成されているノズル部と、
を備え、
前記ガイド部は前記ノズル部の上面により構成されている請求項１から３のいずれか一項に記載の液剤吐出容器。
【請求項５】
前記ガイド部は前記ヘッド部から上に突出している突起部により構成されている請求項１から３のいずれか一項に記載の液剤吐出容器。
【請求項６】
液剤を貯留する容器本体と、
前記容器本体に装着される装着部と、
前記装着部に対して上下動可能に前記装着部に保持され、前記装着部に対して相対的に押し下げられることにより前記液剤を通過させるヘッド部と、
前記ヘッド部を通過した前記液剤を吐出する吐出口と、
前記装着部に対して第１軸支部において揺動可能に軸支され、前記第１軸支部を支点として下向き成分を持つ方向及びその反対方向に揺動可能な第１揺動部と、
前記第１揺動部に対して第２軸支部において揺動可能に軸支され、前記第２軸支部を支点として下向き成分を持つ方向及びその反対方向に揺動可能な第２揺動部と、
前記第２揺動部によって直接又は間接に支持されているとともに前記装着部に対して相対的に押し下げられる操作部と、
前記第１軸支部と前記第２軸支部との間に位置し、前記操作部が押し下げられる際に前記第１揺動部から前記ヘッド部に対して押下力を伝達する作用部と、
前記操作部が押し下げられる際に、前記第１揺動部に対する前記第２揺動部の揺動方向を、前記装着部に対する前記第１揺動部の揺動による前記操作部の姿勢変化を相殺する方向に規制する揺動規制部と、
を備え、
前記揺動規制部は、前記装着部に対して第３軸支部において揺動可能に軸支されているとともに前記第２揺動部に対して第４軸支部において揺動可能に軸支されている第３揺動部を含んで構成され、
前記第１軸支部の軸と、前記第２軸支部の軸と、前記第３軸支部の軸と、前記第４軸支部の軸と、が互いに平行に配置されている液剤吐出容器。
【請求項７】
前記第１軸支部の軸方向に、前記第１軸支部、前記第２軸支部、前記第３軸支部及び前記第４軸支部を視たときに、
前記第１軸支部と前記第２軸支部との距離と、前記第３軸支部と前記第４軸支部との距離と、が互いに等しいとともに、
前記第１軸支部と前記第３軸支部との距離と、前記第２軸支部と前記第４軸支部との距離と、が互いに等しい請求項６に記載の液剤吐出容器。
【請求項８】
液剤を貯留する容器本体と、
前記容器本体に装着される装着部と、
前記装着部に対して上下動可能に前記装着部に保持され、前記装着部に対して相対的に押し下げられることにより前記液剤を通過させるヘッド部と、
前記ヘッド部を通過した前記液剤を吐出する吐出口と、
前記装着部に対して第１軸支部において揺動可能に軸支され、前記第１軸支部を支点として下向き成分を持つ方向及びその反対方向に揺動可能な第１揺動部と、
前記第１揺動部に対して第２軸支部において揺動可能に軸支され、前記第２軸支部を支点として下向き成分を持つ方向及びその反対方向に揺動可能な第２揺動部と、
前記第２揺動部によって直接又は間接に支持されているとともに前記装着部に対して相対的に押し下げられる操作部と、
前記第１軸支部と前記第２軸支部との間に位置し、前記操作部が押し下げられる際に前記第１揺動部から前記ヘッド部に対して押下力を伝達する作用部と、
前記操作部が押し下げられる際に、前記第１揺動部に対する前記第２揺動部の揺動方向を、前記装着部に対する前記第１揺動部の揺動による前記操作部の姿勢変化を相殺する方向に規制する揺動規制部と、
を備え、
前記操作部は前記第２揺動部と一体に設けられている液剤吐出容器。
【請求項９】
液剤を貯留する容器本体と、
前記容器本体に装着される装着部と、
前記装着部に対して上下動可能に前記装着部に保持され、前記装着部に対して相対的に押し下げられることにより前記液剤を通過させるヘッド部と、
前記ヘッド部を通過した前記液剤を吐出する吐出口と、
前記装着部に対して第１軸支部において揺動可能に軸支され、前記第１軸支部を支点として下向き成分を持つ方向及びその反対方向に揺動可能な第１揺動部と、
前記第１揺動部に対して第２軸支部において揺動可能に軸支され、前記第２軸支部を支点として下向き成分を持つ方向及びその反対方向に揺動可能な第２揺動部と、
前記第２揺動部によって直接又は間接に支持されているとともに前記装着部に対して相対的に押し下げられる操作部と、
前記第１軸支部と前記第２軸支部との間に位置し、前記操作部が押し下げられる際に前記第１揺動部から前記ヘッド部に対して押下力を伝達する作用部と、
前記操作部が押し下げられる際に、前記第１揺動部に対する前記第２揺動部の揺動方向を、前記装着部に対する前記第１揺動部の揺動による前記操作部の姿勢変化を相殺する方向に規制する揺動規制部と、
を備え、
前記第２揺動部に対して第３軸支部において揺動可能に軸支され、前記第３軸支部を支点として下向き成分を持つ方向及びその反対方向に揺動可能な第３揺動部を更に備え、
前記操作部は前記第３揺動部と一体に設けられている液剤吐出容器。
【請求項１０】
前記揺動規制部は、
前記ヘッド部に形成されているガイド部と、
前記第３揺動部に形成されていて、前記操作部が押し下げられる際に前記ガイド部に沿って摺動する被ガイド部と、
を含んで構成されている請求項９に記載の液剤吐出容器。
【請求項１１】
前記ガイド部は、前記装着部に対する前記ヘッド部の移動方向と平行に延在している請求項１０に記載の液剤吐出容器。
【請求項１２】
液剤を貯留する容器本体と、
前記容器本体に装着される装着部と、
前記装着部に対して上下動可能に前記装着部に保持され、前記装着部に対して相対的に押し下げられることにより前記液剤を通過させるヘッド部と、
前記ヘッド部を通過した前記液剤を吐出する吐出口と、
水平な軸を持つ第１軸支部において前記装着部に対して揺動可能に軸支され、前記第１軸支部を支点として下向き方向及びその反対方向に揺動可能な第１揺動部と、
前記第１軸支部の軸に対して平行な軸を持つ第２軸支部において前記第１揺動部に対して揺動可能に軸支され、前記第２軸支部を支点として下向き方向及びその反対方向に揺動可能な第２揺動部と、
前記第２揺動部に一体に設けられているとともに前記装着部に対して相対的に押し下げられる操作部と、
前記第１軸支部と前記第２軸支部との間に位置し、前記操作部が押し下げられる際に前記第１揺動部から前記ヘッド部に対して押下力を伝達する作用部と、
前記ヘッド部又は前記第２揺動部の一方に形成されているガイド部と、
前記ヘッド部又は前記第２揺動部の他方に形成されていて、前記操作部が押し下げられる際に前記ガイド部に沿って摺動する被ガイド部と、
を備え、
前記ガイド部は弧状に形成されており、
前記ガイド部の水平方向寸法は、前記操作部が押し下げられる際の水平方向における前記第２軸支部の移動距離に等しく、
前記ガイド部の上下方向寸法は、前記操作部が押し下げられる際の下方への前記ヘッド部の移動距離と、前記操作部が押し下げられる際の前記ガイド部に対して相対的に下方への前記被ガイド部の移動距離と、の和に等しい液剤吐出容器。
【請求項１３】
液剤を貯留する容器本体と、
前記容器本体に装着される装着部と、
前記装着部に対して上下動可能に前記装着部に保持され、前記装着部に対して相対的に押し下げられることにより前記液剤を通過させるヘッド部と、
前記ヘッド部を通過した前記液剤を吐出する吐出口と、
水平な軸を持つ第１軸支部において前記装着部に対して揺動可能に軸支され、前記第１軸支部を支点として下向き方向及びその反対方向に揺動可能な第１揺動部と、
前記第１軸支部の軸に対して平行な軸を持つ第２軸支部において前記第１揺動部に対して揺動可能に軸支され、前記第２軸支部を支点として下向き方向及びその反対方向に揺動可能な第２揺動部と、
前記第２揺動部に一体に設けられているとともに前記装着部に対して相対的に押し下げられる操作部と、
前記第１軸支部と前記第２軸支部との間に位置し、前記操作部が押し下げられる際に前記第１揺動部から前記ヘッド部に対して押下力を伝達する作用部と、
水平な軸を持つ第３軸支部において前記装着部に対して揺動可能に軸支されているとともに水平な軸を持つ第４軸支部において前記第２揺動部に対して揺動可能に軸支されている第３揺動部と、
を備え、
前記第１軸支部の軸方向に、前記第１軸支部、前記第２軸支部、前記第３軸支部及び前記第４軸支部を視たときに、
前記第１軸支部と前記第２軸支部との距離と、前記第３軸支部と前記第４軸支部との距離と、が互いに等しいとともに、
前記第１軸支部と前記第３軸支部との距離と、前記第２軸支部と前記第４軸支部との距離と、が互いに等しい液剤吐出容器。
【請求項１４】
液剤を貯留する容器本体と、
前記容器本体に装着される装着部と、
前記装着部に対して上下動可能に前記装着部に保持され、前記装着部に対して相対的に押し下げられることにより前記液剤を通過させるヘッド部と、
前記ヘッド部を通過した前記液剤を吐出する吐出口と、
水平な軸を持つ第１軸支部において前記装着部に対して揺動可能に軸支され、前記第１軸支部を支点として下向き方向及びその反対方向に揺動可能な第１揺動部と、
前記第１軸支部の軸に対して平行な軸を持つ第２軸支部において前記第１揺動部に対して揺動可能に軸支され、前記第２軸支部を支点として下向き方向及びその反対方向に揺動可能な第２揺動部と、
前記第２揺動部に一体に設けられているとともに前記装着部に対して相対的に押し下げられる操作部と、
前記第１軸支部と前記第２軸支部との間に位置し、前記操作部が押し下げられる際に前記第１揺動部から前記ヘッド部に対して押下力を伝達する作用部と、
前記ヘッド部と一体に形成され、前記操作部が押し下げられる際に前記第２揺動部をガイドし摺動させるガイド部と、
を備え、
前記第２揺動部は、前記第２軸支部を基準として水平方向において前記第１軸支部側の位置で前記ガイド部に沿って摺動する液剤吐出容器。
【請求項１５】
液剤を貯留する容器本体と、
前記容器本体に装着される装着部と、
前記装着部に対して上下動可能に前記装着部に保持され、前記装着部に対して相対的に押し下げられることにより前記液剤を通過させるヘッド部と、
前記ヘッド部を通過した前記液剤を吐出する吐出口と、
水平な軸を持つ第１軸支部において前記装着部に対して揺動可能に軸支され、前記第１軸支部を支点として下向き方向及びその反対方向に揺動可能な第１揺動部と、
前記第１軸支部の軸に対して平行な軸を持つ第２軸支部において前記第１揺動部に対して揺動可能に軸支され、前記第２軸支部を支点として下向き方向及びその反対方向に揺動可能な第２揺動部と、
前記第１軸支部の軸に対して平行な軸を持つ第３軸支部において前記第２揺動部に対して揺動可能に軸支され、前記第３軸支部を支点として下向き方向及びその反対方向に揺動可能な第３揺動部と、
前記第３揺動部に一体に設けられているとともに前記装着部に対して相対的に押し下げられる操作部と、
前記第１軸支部と前記第２軸支部との間に位置し、前記操作部が押し下げられる際に前記第１揺動部から前記ヘッド部に対して押下力を伝達する作用部と、
前記ヘッド部又は前記第３揺動部の一方に形成されていて前記装着部に対する前記ヘッド部の移動方向と平行に延在しているガイド部と、
前記ヘッド部又は前記第３揺動部の他方に形成されていて、前記操作部が押し下げられる際に前記ガイド部に沿って下方に摺動する被ガイド部と、
を備える液剤吐出容器。
【請求項１６】
液剤を貯留する容器本体と、
前記容器本体に装着される装着部と、
前記装着部に対して上下動可能に前記装着部に保持され、前記装着部に対して相対的に押し下げられることにより前記液剤を通過させるヘッド部と、
前記ヘッド部を通過した前記液剤を吐出する吐出口と、
前記装着部に対して第１軸支部において揺動可能に軸支され、前記第１軸支部を支点として下向き成分を持つ方向及びその反対方向に揺動可能な第１揺動部と、
前記第１揺動部に対して第２軸支部において揺動可能に軸支され、前記第２軸支部を支点として下向き成分を持つ方向及びその反対方向に揺動可能な第２揺動部と、
前記第２揺動部によって直接又は間接に支持されているとともに前記装着部に対して相対的に押し下げられる操作部と、
前記第１軸支部と前記第２軸支部との間に位置し、前記操作部が押し下げられる際に前記第１揺動部から前記ヘッド部に対して押下力を伝達する作用部と、
前記操作部が押し下げられる際に、前記第１揺動部に対する前記第２揺動部の揺動方向を、前記装着部に対する前記第１揺動部の揺動による前記操作部の姿勢変化を相殺する方向に規制する揺動規制部と、
を備え、
前記作用部は、
前記ヘッド部又は前記第１揺動部の一方から水平方向成分を持つ方向に突出した状態に形成されている突起部と、
前記ヘッド部又は前記第１揺動部の他方に形成され、前記突起部に対して摺動しながら前記突起部を下方に押し下げるか又は前記突起部により下方に押し下げられる作用面と、
を含み、
前記作用面は、前記第１揺動部の揺動角度が第１角度のときと、前記揺動角度が前記第１角度とは異なる第２角度のときと、の各々において、前記作用面における前記突起部との接触部位が前記装着部に対する前記ヘッド部の移動方向に対して直交する曲面形状に形成されている液剤吐出容器。
【請求項１７】
液剤を貯留する容器本体に装着される装着部と、
前記装着部に対して上下動可能に前記装着部に保持され、前記装着部に対して相対的に押し下げられることにより前記液剤を通過させるヘッド部と、
前記ヘッド部を通過した前記液剤を吐出する吐出口と、
前記装着部に対して第１軸支部において揺動可能に軸支され、前記第１軸支部を支点として下向き成分を持つ方向及びその反対方向に揺動可能な第１揺動部と、
前記第１揺動部に対して第２軸支部において揺動可能に軸支され、前記第２軸支部を支点として下向き成分を持つ方向及びその反対方向に揺動可能な第２揺動部と、
前記第２揺動部によって直接又は間接に支持されているとともに前記装着部に対して相対的に押し下げられる操作部と、
前記第１軸支部と前記第２軸支部との間に位置し、前記操作部が押し下げられる際に前記第１揺動部から前記ヘッド部に対して押下力を伝達する作用部と、
前記操作部が押し下げられる際に、前記第１揺動部に対する前記第２揺動部の揺動方向を、前記装着部に対する前記第１揺動部の揺動による前記操作部の姿勢変化を相殺する方向に規制する揺動規制部と、
を備える液剤吐出器付きキャップ。
【請求項１８】
液剤を貯留する容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、を備える液剤吐出器付きキャップに装着して用いられる液体吐出器用アタッチメントであって、
前記装着部に装着される第２装着部と、
前記第２装着部に対して第１軸支部において揺動可能に軸支され、前記第１軸支部を支点として下向き成分を持つ方向及びその反対方向に揺動可能な第１揺動部と、
前記第１揺動部に対して第２軸支部において揺動可能に軸支され、前記第２軸支部を支点として下向き成分を持つ方向及びその反対方向に揺動可能な第２揺動部と、
前記第２揺動部によって直接又は間接に支持されているとともに前記第２装着部に対して相対的に押し下げられる操作部と、
前記第１軸支部と前記第２軸支部との間に位置し、前記操作部が押し下げられる際に前記第１揺動部から前記ヘッド部に対して押下力を伝達する作用部と、
前記操作部が押し下げられる際に、前記第１揺動部に対する前記第２揺動部の揺動方向を、前記第２装着部に対する前記第１揺動部の揺動による前記操作部の姿勢変化を相殺する方向に規制する揺動規制部と、
を備える液体吐出器用アタッチメント。
【請求項１９】
請求項１から１６のいずれか一項に記載の液剤吐出容器と、
前記容器本体に充填された前記液剤と、
を備える液剤吐出容器詰め品。
【発明の詳細な説明】
【技術分野】
【０００１】
本発明は、液剤吐出容器、液剤吐出器付きキャップ、液体吐出器用アタッチメント及び液剤吐出容器詰め品に関する。
【背景技術】
【０００２】
特許文献１から８には、テコの原理を利用できる構造の液剤吐出容器について記載されている。これら液剤吐出容器は、押下操作を受け付ける操作部が、一箇所の軸支部において軸支された構造となっており、操作部を押し下げ操作することによって、テコの原理を利用してヘッド部が押し下げられるようになっている。
【先行技術文献】
【特許文献】
【０００３】
【特許文献１】実開平５−７３５９号公報
【特許文献２】実開平５−５１４６９号公報
【特許文献３】特開２０００−３３５６１８号公報
【特許文献４】特開２００７−２９７０８３号公報
【特許文献５】特開２０１０−５５９９号公報
【特許文献６】特開２０１０−８３５２７号公報
【特許文献７】特開２０１０−１３２３４３号公報
【特許文献８】特開２０１１−２３０８４２号公報
【発明の概要】
【発明が解決しようとする課題】
【０００４】
しかしながら、各特許文献１から８に記載の技術では、操作部を押し下げ操作する際に、操作部が軸支部を支点として揺動する。このため、ヘッド部を直に押し下げるタイプの通常の液剤吐出容器と比べて、操作部の操作感が大きく異なり、操作性が必ずしも良好ではない。
【０００５】
本発明は、上記の課題に鑑みなされたものであり、テコの原理を利用してヘッド部を押し下げることができ、且つ、ヘッド部を直に押し下げるタイプの液剤吐出容器に近い操作感を実現することが可能な構造の液剤吐出容器、液剤吐出器付きキャップ、液体吐出器用アタッチメント及び液剤吐出容器詰め品に関する。
【課題を解決するための手段】
【０００６】
本発明は、液剤を貯留する容器本体と、前記容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、前記装着部に対して第１軸支部において揺動可能に軸支され、前記第１軸支部を支点として下向き成分を持つ方向及びその反対方向に揺動可能な第１揺動部と、前記第１揺動部に対して第２軸支部において揺動可能に軸支され、前記第２軸支部を支点として下向き成分を持つ方向及びその反対方向に揺動可能な第２揺動部と、前記第２揺動部によって直接又は間接に支持されているとともに前記装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、前記操作部が押し下げられる際に、前記第１揺動部に対する前記第２揺動部の揺動方向を、前記装着部に対する前記第１揺動部の揺動による前記操作部の姿勢変化を相殺する方向に規制する揺動規制部と、を備える液剤吐出容器を提供するものである。
【０００７】
また、本発明は、液剤を貯留する容器本体と、前記容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、水平な軸を持つ第１軸支部において前記装着部に対して揺動可能に軸支され、前記第１軸支部を支点として下向き方向及びその反対方向に揺動可能な第１揺動部と、前記第１軸支部の軸に対して平行な軸を持つ第２軸支部において前記第１揺動部に対して揺動可能に軸支され、前記第２軸支部を支点として下向き方向及びその反対方向に揺動可能な第２揺動部と、前記第２揺動部に一体に設けられているとともに前記装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、前記ヘッド部又は前記第２揺動部の一方に形成されているガイド部と、前記ヘッド部又は前記第２揺動部の他方に形成されていて、前記操作部が押し下げられる際に前記ガイド部に沿って摺動する被ガイド部と、を備え、前記ガイド部は弧状に形成されており、前記ガイド部の水平方向寸法は、前記操作部が押し下げられる際の水平方向における前記第２軸支部の移動距離に等しく、前記ガイド部の上下方向寸法は、前記操作部が押し下げられる際の下方への前記ヘッド部の移動距離と、前記操作部が押し下げられる際の前記ガイド部に対して相対的に下方への前記被ガイド部の移動距離と、の和に等しい液剤吐出容器を提供するものである。
【０００８】
また、本発明は、液剤を貯留する容器本体と、前記容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、水平な軸を持つ第１軸支部において前記装着部に対して揺動可能に軸支され、前記第１軸支部を支点として下向き方向及びその反対方向に揺動可能な第１揺動部と、前記第１軸支部の軸に対して平行な軸を持つ第２軸支部において前記第１揺動部に対して揺動可能に軸支され、前記第２軸支部を支点として下向き方向及びその反対方向に揺動可能な第２揺動部と、前記第２揺動部に一体に設けられているとともに前記装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、水平な軸を持つ第３軸支部において前記装着部に対して揺動可能に軸支されているとともに水平な軸を持つ第４軸支部において前記第２揺動部に対して揺動可能に軸支されている第３揺動部と、を備え、前記第１軸支部の軸方向に、前記第１軸支部、前記第２軸支部、前記第３軸支部及び前記第４軸支部を視たときに、前記第１軸支部と前記第２軸支部との距離と、前記第３軸支部と前記第４軸支部との距離と、が互いに等しいとともに、前記第１軸支部と前記第３軸支部との距離と、前記第２軸支部と前記第４軸支部との距離と、が互いに等しい液剤吐出容器を提供するものである。
【０００９】
また、本発明は、液剤を貯留する容器本体と、前記容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、水平な軸を持つ第１軸支部において前記装着部に対して揺動可能に軸支され、前記第１軸支部を支点として下向き方向及びその反対方向に揺動可能な第１揺動部と、前記第１軸支部の軸に対して平行な軸を持つ第２軸支部において前記第１揺動部に対して揺動可能に軸支され、前記第２軸支部を支点として下向き方向及びその反対方向に揺動可能な第２揺動部と、前記第２揺動部に一体に設けられているとともに前記装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、前記ヘッド部と一体に形成され、前記操作部が押し下げられる際に前記第２揺動部をガイドし摺動させるガイド部と、を備え、前記第２揺動部は、前記第２軸支部を基準として水平方向において前記第１軸支部側の位置で前記ガイド部に沿って摺動する液剤吐出容器を提供するものである。
【００１０】
また、本発明は、液剤を貯留する容器本体と、前記容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、水平な軸を持つ第１軸支部において前記装着部に対して揺動可能に軸支され、前記第１軸支部を支点として下向き方向及びその反対方向に揺動可能な第１揺動部と、前記第１軸支部の軸に対して平行な軸を持つ第２軸支部において前記第１揺動部に対して揺動可能に軸支され、前記第２軸支部を支点として下向き方向及びその反対方向に揺動可能な第２揺動部と、前記第１軸支部の軸に対して平行な軸を持つ第３軸支部において前記第２揺動部に対して揺動可能に軸支され、前記第３軸支部を支点として下向き方向及びその反対方向に揺動可能な第３揺動部と、前記第３揺動部に一体に設けられているとともに前記装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、前記ヘッド部又は前記第３揺動部の一方に形成されていて前記装着部に対する前記ヘッド部の移動方向と平行に延在しているガイド部と、前記ヘッド部又は前記第３揺動部の他方に形成されていて、前記操作部が押し下げられる際に前記ガイド部に沿って下方に摺動する被ガイド部と、を備える液剤吐出容器を提供するものである。
【００１１】
また、本発明は、液剤を貯留する容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、前記装着部に対して第１軸支部において揺動可能に軸支され、前記第１軸支部を支点として下向き成分を持つ方向及びその反対方向に揺動可能な第１揺動部と、前記第１揺動部に対して第２軸支部において揺動可能に軸支され、前記第２軸支部を支点として下向き成分を持つ方向及びその反対方向に揺動可能な第２揺動部と、前記第２揺動部によって直接又は間接に支持されているとともに前記装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、前記操作部が押し下げられる際に、前記第１揺動部に対する前記第２揺動部の揺動方向を、前記装着部に対する前記第１揺動部の揺動による前記操作部の姿勢変化を相殺する方向に規制する揺動規制部と、を備える液剤吐出器付きキャップを提供するものである。
【００１２】
また、本発明は、液剤を貯留する容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、を備える液剤吐出器付きキャップに装着して用いられる液体吐出器用アタッチメントであって、前記装着部に装着される第２装着部と、前記第２装着部に対して第１軸支部において揺動可能に軸支され、前記第１軸支部を支点として下向き成分を持つ方向及びその反対方向に揺動可能な第１揺動部と、前記第１揺動部に対して第２軸支部において揺動可能に軸支され、前記第２軸支部を支点として下向き成分を持つ方向及びその反対方向に揺動可能な第２揺動部と、前記第２揺動部によって直接又は間接に支持されているとともに前記第２装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、前記操作部が押し下げられる際に、前記第１揺動部に対する前記第２揺動部の揺動方向を、前記第２装着部に対する前記第１揺動部の揺動による前記操作部の姿勢変化を相殺する方向に規制する揺動規制部と、を備える液体吐出器用アタッチメントを提供するものである。
【００１３】
また、本発明は、本発明の液剤吐出容器と、前記容器本体に充填された前記液剤と、を備える液剤吐出容器詰め品を提供するものである。
【発明の効果】
【００１４】
本発明によれば、テコの原理を利用してヘッド部を押し下げることができ、且つ、ヘッド部を直に押し下げるタイプの液剤吐出容器に近い操作感を実現することができる。
【図面の簡単な説明】
【００１５】
【図１】第１の実施形態に係る液剤吐出容器詰め品の側面図である。
【図２】第１の実施形態に係る液剤吐出器付きキャップの側面図である。
【図３】第１の実施形態に係る液剤吐出器付きキャップの上部を示す側面図である。
【図４】図３のＡ−Ａ線に沿った平断面図であり、第１の実施形態に係る液剤吐出器付きキャップにおける操作部よりも下の部分を示す。
【図５】第１の実施形態に係る液剤吐出器付きキャップの上部を示す前方からの斜視図である。
【図６】第１の実施形態に係る液剤吐出器付きキャップの上部を示す後方からの斜視図である。
【図７】第１の実施形態に係る液剤吐出器付きキャップの上部を示す側断面図である。
【図８】第１の実施形態に係る液剤吐出器付きキャップの上部を示す側面図であり、操作部が押下された状態を示す。
【図９】第２の実施形態に係る液剤吐出器付きキャップの上部を示す前方からの斜視図である。
【図１０】第２の実施形態に係る液剤吐出器付きキャップの上部を示す後方からの斜視図である。
【図１１】第２の実施形態に係る液剤吐出器付きキャップの上部を示す側面図である。
【図１２】第２の実施形態に係る液剤吐出器付きキャップの上部を示す側面図であり、操作部が押下された状態を示す。
【図１３】第３の実施形態に係る液剤吐出器付きキャップの上部を示す前方からの斜視図である。
【図１４】第３の実施形態に係る液剤吐出器付きキャップの上部を示す後方からの斜視図である。
【図１５】第３の実施形態に係る液剤吐出器付きキャップの上部を示す側面図である。
【図１６】第３の実施形態に係る液剤吐出器付きキャップの上部を示す側断面図である。
【図１７】第３の実施形態に係る液剤吐出器付きキャップの上部を示す側面図であり、操作部が押下された状態を示す。
【図１８】第４の実施形態に係る液剤吐出器付きキャップの上部を示す前方からの斜視図である。
【図１９】第４の実施形態に係る液剤吐出器付きキャップの上部を示す側面図である。
【図２０】第４の実施形態に係る液剤吐出器付きキャップの上部を示す側面図であり、操作部が押下された状態を示す。
【図２１】第５の実施形態に係る液剤吐出器付きキャップの上部を示す側面図である。
【図２２】第５の実施形態に係る液剤吐出器付きキャップの上部を示す前方からの斜視図である。
【図２３】第５の実施形態に係る液剤吐出器付きキャップの上部を示す後方からの斜視図である。
【図２４】第５の実施形態に係る液剤吐出器付きキャップの上部を示す側断面図である。
【図２５】第５の実施形態に係る液剤吐出器付きキャップの上部を示す側面図であり、操作部が押下された状態を示す。
【発明を実施するための形態】
【００１６】
以下、本発明の実施形態について、図面を用いて説明する。なお、すべての図面において、同様の構成要素には同一の符号を付し、重複する説明は適宜に省略する。
【００１７】
〔第１の実施形態〕
先ず、図１から図８を用いて第１の実施形態を説明する。
本実施形態に係る液剤吐出容器１００は、液剤１５０を貯留する容器本体１０と、容器本体１０に装着される装着部５２と、装着部５２に対して上下動可能に装着部５２に保持され装着部５２に対して相対的に押し下げられることにより液剤１５０を通過させるヘッド部３０と、ヘッド部３０を通過した液剤１５０を吐出する吐出口４１と、を備える。
更に、液剤吐出容器１００は、装着部５２に対して第１軸支部９１において揺動可能に軸支され、第１軸支部９１を支点として下向き成分を持つ方向及びその反対方向に揺動可能な第１揺動部６０と、第１揺動部６０に対して第２軸支部９２において揺動可能に軸支され第２軸支部９２を支点として下向き成分を持つ方向及びその反対方向に揺動可能な第２揺動部７０と、を備える。
ここで、第１軸支部９１の軸の方向は、水平方向であることが好ましい一例であるが、装着部５２に対する第１揺動部６０の揺動の方向が下向き成分を持つ方向及びその反対方向になる限りにおいて、水平方向に対して交差する方向であっても良い。
同様に、第２軸支部９２の軸の方向は、水平方向であることが好ましい一例であるが、第１揺動部６０に対する第２揺動部７０の揺動の方向が下向き成分を持つ方向及びその反対方向になる限りにおいて、水平方向に対して交差する方向であっても良い。
更に、第１軸支部９１の軸と第２軸支部９２の軸とが互いに平行であることが好ましい一例であるが、第２揺動部７０が押し下げられることにより第２軸支部９２を介して第１揺動部６０に押下力が伝達されるとともに第１揺動部６０が第１軸支部９１を支点として揺動する限りにおいて、第１軸支部９１の軸と第２軸支部９２の軸とは、互いに平行でなくても良い。
更に、液剤吐出容器１００は、第２揺動部７０によって直接又は間接に支持されているとともに装着部５２に対して相対的に押し下げられる操作部２０と、第１軸支部９１と第２軸支部９２との間に位置し操作部２０が押し下げられる際に第１揺動部６０からヘッド部３０に対して押下力を伝達する作用部（例えば、作用面６３と突起部３３とにより構成される）と、を備える。
更に、液剤吐出容器１００は、操作部２０が押し下げられる際に、第１揺動部６０に対する第２揺動部７０の揺動方向を、装着部５２に対する第１揺動部６０の揺動による操作部２０の姿勢変化を相殺する方向に規制する揺動規制部と、を備える。
【００１８】
また、本実施形態に係る液剤吐出容器詰め品２００は、本実施形態に係る液剤吐出容器１００と、容器本体１０に充填された液剤１５０と、を備えて構成されている。
【００１９】
図１から図７の各図に示す状態は、操作部２０及びヘッド部３０が押し下げられていない通常時の状態（常態）である。一方、図８に示す状態は、操作部２０及びヘッド部３０が下限位置まで押し下げられた状態（以下、単に押下状態という場合がある）である。
図１〜図４、図７及び図８における左方向が前方、図１〜図４、図７及び図８における右方向が後方であるものとし、図１〜図３、図７及び図８における紙面の奥側方向が左方、図１〜図３、図７及び図８における紙面の手前側方向が右方であるものとする。
【００２０】
本実施形態では、液剤１５０として、泡状にして吐出されるものを例示する。このような液剤としては、ハンドソープを代表例として挙げることができるが、これに限られず、洗顔料、クレンジング剤、食器用洗剤、整髪料、ボディソープ、髭剃り用クリーム、ファンデーションや美容液等の肌用化粧料、染毛剤、消毒薬など、泡状で用いられる種々のものを例示することができる。
ただし、本発明における液剤１５０としては、泡状にして吐出されるものに限られず、流動性の液剤のまま吐出されるものも含まれ、そのような液剤１５０としては、ハンドソープ、洗顔料、クレンジング剤、食器用洗剤、整髪料、ボディソープ、髭剃り用ジェル、ファンデーションや美容液等の肌用化粧料、染毛剤、消毒薬などを例示することができる。
【００２１】
容器本体１０には、常圧で、または加圧されて、液剤１５０が貯留される。液剤吐出容器１００は、常圧で貯留された液剤１５０を空気と接触させることにより、または加圧下で貯留された液剤１５０を吐出時に大気圧に解放させることにより、液剤１５０を泡状に変化させる。本明細書では、泡状の液剤１５０を泡体と呼称して、容器本体１０に貯留されている非泡状の液剤１５０と区別する。
液剤吐出容器１００は、例えば、機械式のポンプ容器であり、操作部２０を介して間接的にヘッド部３０を押下操作することにより、液剤１５０を泡体として吐出する。
ただし、本実施形態とは異なり、ボンベ等に貯留された高圧ガスなどを用いて液剤１５０（泡体）を吐出するように、液剤吐出容器が構成されていても良い。
【００２２】
容器本体１０の形状は特に限定されないが、例えば、図１に示すように、容器本体１０は、筒状の胴部１１と、胴部１１の上側に連接されていて上方に向けて内腔の平断面積が縮小する肩部１２と、肩部１２の上側に連接されている円筒状の口頸部１３と、胴部１１の下端を閉塞している底部１４と、を有する形状となっている。容器本体１０の材料は特に限定されないが、容器本体１０は、例えば、合成樹脂により成形されている。口頸部１３の上端には開口が形成されている。
【００２３】
ここで、本実施形態に係る液剤吐出器付きキャップ５０は、液剤吐出容器１００の構成のうち容器本体１０を除く部分により構成されている。
すなわち、液剤吐出器付きキャップ５０は、液剤１５０を貯留する容器本体１０に装着される装着部５２と、装着部５２に対して上下動可能に装着部５２に保持され装着部５２に対して相対的に押し下げられることにより液剤１５０を通過させるヘッド部３０と、ヘッド部３０を通過した液剤１５０を吐出する吐出口４１と、装着部５２に対して第１軸支部９１において揺動可能に軸支され、第１軸支部９１を支点として下向き成分を持つ方向及びその反対方向に揺動可能な第１揺動部６０と、第１揺動部６０に対して第２軸支部９２において揺動可能に軸支され第２軸支部９２を支点として下向き成分を持つ方向及びその反対方向に揺動可能な第２揺動部７０と、第２揺動部７０によって直接又は間接に支持されているとともに装着部５２に対して相対的に押し下げられる操作部２０と、第１軸支部９１と第２軸支部９２との間に位置し操作部２０が押し下げられる際に第１揺動部６０からヘッド部３０に対して押下力を伝達する作用部（例えば、作用面６３と突起部３３とにより構成される）と、操作部２０が押し下げられる際に、第１揺動部６０に対する第２揺動部７０の揺動方向を、装着部５２に対する第１揺動部６０の揺動による操作部２０の姿勢変化を相殺する方向に規制する揺動規制部と、を備えている。
【００２４】
装着部５２は、例えば螺合等の止着方法によって口頸部１３に対して着脱可能に装着されている。これにより、口頸部１３には、装着部５２、ヘッド部３０、操作部２０、第１揺動部６０及び第２揺動部７０を含む液剤吐出器付きキャップ５０の全体が装着されている。口頸部１３に液剤吐出器付きキャップ５０が装着されることにより、液剤吐出器付きキャップ５０によって口頸部１３の開口が閉塞されている。
【００２５】
装着部５２は、内周面にねじ山が形成された筒状部と、筒状部の上端を当該上端の中央部を除いて閉塞している天面部と、を有している。
液剤吐出器付きキャップ５０は、更に、装着部５２の天面部から上方に向けて起立している筒状の起立筒５３を備えている。
【００２６】
ヘッド部３０は、ヘッド本体部３１と、ヘッド本体部３１から水平方向成分を持つ方向に突出し、吐出口４１が形成されているノズル部４０と、を備えている。
ヘッド本体部３１は、起立筒５３の軸方向（つまり上下方向）に起立筒５３に対して相対移動可能に、起立筒５３によって保持されている。ヘッド本体部３１は、例えば、起立筒５３の外周面に沿って配置されている外筒部３２と、起立筒５３の内周面に沿って配置されている内筒部３４（図７）と、を有する二重筒構造となっている。起立筒５３、外筒部３２及び内筒部３４の軸方向がそれぞれ上下方向となっており、平面視において、起立筒５３の外方に外筒部３２が配置され、起立筒５３の内方に内筒部３４が配置されている。そして、外筒部３２及び内筒部３４、ひいてはヘッド本体部３１の全体は、起立筒５３により上下方向にガイドされている。起立筒５３の上端部は、内筒部３４の内部空間に連通している。内筒部３４の上端面は閉塞されている。より詳細には、外筒部３２の上端面が閉塞されている。
ノズル部４０は、筒状に形成され、ヘッド本体部３１の上端部から前方に向けて水平に突出している。ノズル部４０の基端部の内部空間は、内筒部３４の上端部の内部空間と連通している（図７参照）。吐出口４１は、例えば、前向きに開口する状態でノズル部４０の先端に形成されている。
【００２７】
ヘッド部３０が操作部２０により押し下げられていない通常の状態（常態）においては、図２に示すバネ体５８の作用により、起立筒５３に対するヘッド部３０の上下方向位置が上限位置となる（図１から図７）。
一方、ユーザーが操作部２０に対して押下操作を行うことにより、詳細は後述するが、第２揺動部７０及び第１揺動部６０を介してヘッド部３０に押下力が伝達され、ヘッド部３０はバネ体５８の付勢に抗して押し下げられる。その結果、図８に示すように、外筒部３２が起立筒５３に対して相対的に下降して外筒部３２が装着部５２に近づき、例えば、外筒部３２により起立筒５３が覆われた状態となる。
操作部２０に対する押下操作が解除されると、ヘッド部３０は、バネ体５８の付勢に従って上昇し、常態に復帰する。その際、操作部２０も押下操作前の位置に復帰する。
【００２８】
図２に示すように、液剤吐出器付きキャップ５０は、ヘッド部３０、起立筒５３、装着部５２及びバネ体５８の他に、ピストン５５、ハウジング５６、吸引管５７及び泡生成部５１を備えている。
ハウジング５６は、ピストン５５及びバネ体５８を収容しているとともに、起立筒５３、内筒部３４、及びノズル部４０の内部を介して吐出口４１と連通している。
吸引管５７は、容器本体１０内の液剤１５０を吸い上げる管であり、ハウジング５６の内部と連通しているとともに、ハウジング５６から下方に垂下している。
液剤吐出器付きキャップ５０が口頸部１３に装着された状態で、ハウジング５６及び吸引管５７は容器本体１０の内部に位置する。
ピストン５５は、ハウジング５６内において上下方向に往復動が可能となっている。ピストン５５の下端には球状の弁体５９が形成されている。弁体５９は、ハウジング５６および吸引管５７に貯留された液剤１５０の流下を抑止する。
ユーザーが操作部２０を押し下げることによって第２揺動部７０及び第１揺動部６０を介してヘッド部３０が押し下げられると、ピストン５５によりその下端の弁体５９の上昇（開放）が規制された状態で、ピストン５５はハウジング５６の内部の空気圧を上昇させる。ピストン５５には、ハウジング５６とヘッド部３０とを連通させる小孔の液流路（不図示）が設けられている。液流路の開口面積は十分に小さいため、ヘッド部３０を押し下げることによってハウジング５６の空気圧が上昇し、その後に液剤１５０はハウジング５６からヘッド部３０に押し上げられる。ヘッド部３０には、外部と連通する空気流路（不図示）が設けられている。
液剤吐出器付きキャップ５０の内部には液剤１５０の流路上に泡生成部５１が設けられている。泡生成部５１では、液剤１５０に対して空気が吹き付けられることにより、液剤１５０が粗い泡になる。この粗い泡が泡生成部５１における後段部分に配置されたメッシュを通過することにより、きめ細かく均一な泡体となる。そして、この泡体が、内筒部３４の内部からノズル部４０内に導入され、ノズル部４０を介して吐出口４１から吐出される。
操作部２０の押下操作が解除されると、バネ体５８が弾性復帰することによってピストン５５が上方位置に復帰する。これによりハウジング５６の内部は低圧となり、弁体５９が開放されて新たな液剤１５０が吸引管５７を介してハウジング５６に吸い上げられる。なお、空気流路を通じて液剤吐出器付きキャップ５０の内部に外部の空気が取り込まれることによって液剤吐出器付きキャップ５０の内部は大気圧に維持される。
ここで説明した液剤吐出器付きキャップ５０の構造および動作は一例であり、その他の広く知られている構造のものを本実施形態に適用しても何ら差し支えが無い。
【００２９】
なお、図３、図５、図６及び図８の各図においては、液剤吐出器付きキャップ５０の上部の構成の外観のみを示しており、液剤吐出器付きキャップ５０の構成のうち、泡生成部５１、ピストン５５、ハウジング５６、バネ体５８、弁体５９及び吸引管５７等の図示を省略している。
また、図７においても、泡生成部５１、ピストン５５、ハウジング５６、バネ体５８、弁体５９及び吸引管５７等の図示を省略している。
なお、後述する他の実施形態においても、液剤吐出器付きキャップ５０を示す各図（断面図を除く）においては、液剤吐出器付きキャップ５０の上部の構成の外観のみを示しており、液剤吐出器付きキャップ５０の構成のうち、泡生成部５１、ピストン５５、ハウジング５６、バネ体５８、弁体５９及び吸引管５７等の図示を省略している。また、後述する他の実施形態の断面図においても、泡生成部５１、ピストン５５、ハウジング５６、バネ体５８、弁体５９及び吸引管５７等の図示を省略している。
【００３０】
図４及び図５に示すように、液剤吐出器付きキャップ５０は、更に、装着部５２の前部上面から立設された左右一対の柱状の支持部５４を備えている。例えば、図４に示すように、平面視において、左側の支持部５４はヘッド本体部３１の左端部の前方位置に配置されており、右側の支持部５４はヘッド本体部３１の右端部の前方位置に配置されている。
【００３１】
また、液剤吐出器付きキャップ５０は、左右一対の第１揺動部６０を備えている。左側の第１揺動部６０の一端部は、左側の支持部５４に対して第１軸支部９１において軸支されており、同様に、右側の第１揺動部６０の一端部は、右側の支持部５４に対して第１軸支部９１において軸支されている。左右の第１軸支部９１は、互いに同軸に配置されている。
【００３２】
また、液剤吐出器付きキャップ５０は、左右一対の第２揺動部７０を備えている。
左側の第１揺動部６０の他端部は、左側の第２揺動部７０の一端部に対して第２軸支部９２において軸支されており、同様に、右側の第１揺動部６０の他端部は、右側の第２揺動部７０の一端部に対して第２軸支部９２において軸支されている。左右の第２軸支部９２は、互いに同軸に配置されている。更に、第１軸支部９１と第２軸支部９２とは互いに平行に配置されている。
容器本体１０に液剤吐出器付きキャップ５０が装着され、且つ、容器本体１０が水平な載置面上に配置された状態で、第１軸支部９１及び第２軸支部９２は、例えば、それぞれ水平に配置されるようになっている。
【００３３】
ここで、第１揺動部６０は、例えば棒状に形成されている。より詳細には、例えば、第１揺動部６０は、それぞれ棒状に形成されている第１部分６１及び第２部分６２を含んで構成されている。
第１部分６１の一端部は、第１軸支部９１にて支持部５４に軸支され、第１部分６１の他端部は第２部分６２の一端部に連結されている。第２部分６２の他端部は、第２軸支部９２にて第２揺動部７０に軸支されている。
第１部分６１及び第２部分６２は、それぞれ第１軸支部９１及び第２軸支部９２に対して直交する面内において延在している。
図３に示すように、第１揺動部６０は、常態において、第１軸支部９１を起点として第２軸支部９２に向かって後方斜め上方に延伸する姿勢となるようになっている。
一方、押下状態では、図８に示すように第２軸支部９２が押し下げられ、例えば、第１揺動部６０は第１軸支部９１を起点として後方に延伸する姿勢となるようになっている。
【００３４】
上述のように、液剤吐出器付きキャップ５０は、操作部２０が押し下げられる際に第１揺動部６０からヘッド部３０に対して押下力を伝達する作用部を備えている。
本実施形態の場合、作用部は、第１軸支部９１と第２軸支部９２との間において第１揺動部６０の下面に形成された作用面６３と、外筒部３２の側面から側方に突出している突起部３３と、により構成されている。本実施形態の場合、液剤吐出器付きキャップ５０は、左右一対の作用部を備えている。そして、左側の作用部は、例えば、外筒部３２の下端部における左側面から左方に突出している突起部３３（図示略）と、左側の第１揺動部６０の第１部分６１の上端部の下面により構成された作用面６３と、により構成されている。また、右側の作用部は、例えば、外筒部３２の下端部における右側面から右方に突出している突起部３３（図示略）と、右側の第１揺動部６０の第１部分６１の上端部の下面により構成された作用面６３と、により構成されている。
各作用面６３は、対応する突起部３３の上に載せられており、第１揺動部６０が第１軸支部９１を支点として第２軸支部９２が下がる方向に揺動することにより、突起部３３を押し下げる。この際に、作用面６３は突起部３３に対して摺動する。
なお、ここで説明した例とは逆に、第１揺動部６０に突起部３３が形成されている一方で、ヘッド部３０に作用面６３が形成されていても良い。この場合、作用面６３の上に突起部３３が載せられており、第１揺動部６０が第１軸支部９１を支点として第２軸支部９２が下がる方向に揺動することにより、突起部３３が作用面６３を押し下げ、この際に、作用面６３は突起部３３に対して摺動する。
【００３５】
すなわち、作用部は、ヘッド部３０又は第１揺動部６０の一方から水平方向成分を持つ方向に突出した状態に形成されている突起部３３と、ヘッド部３０又は第１揺動部６０の他方に形成され突起部３３に対して摺動しながら突起部３３を下方に押し下げるか又は突起部３３により下方に押し下げられる作用面６３と、を含む。
そして、作用面６３は、第１揺動部６０の揺動角度が第１角度のとき（例えば常態）と、この揺動角度が第１角度とは異なる第２角度のとき（常態よりも押下状態に近く且つ押下状態よりも常態に近い状態（不図示））と、の各々において、作用面６３における突起部３３との接触部位が装着部５２に対するヘッド部３０の移動方向（例えば下方）に対して直交する（例えば水平となる）曲面形状に形成されている。
これにより、第１揺動部６０からヘッド部３０に対して伝達される力の損失を抑制できるため、操作部２０の押下に必要な力を抑制できる。
より好ましくは、作用面６３は、突起部３３に対して常に水平面で接触するようになっている。
なお、突起部３３の上面には面取り加工が施されていることが好ましい。
【００３６】
また、第２揺動部７０は、例えば、棒状の第１部分７１と、第１部分７１に対して交差する方向に延びている第２部分７２と、を含んで構成されている。第１部分７１及び第２部分７２は、それぞれ第２軸支部９２に対して直交する面内において延在している。第１部分７１と第２部分７２とは、側面視においてＶ字状に交差している。
各第１揺動部６０の第２部分６２の他端部は、各第２揺動部７０の一端部（例えば下端部）である第１部分７１の一端部（例えば下端部）に対してそれぞれ第２軸支部９２にて軸支されている。
第１部分７１と第２部分７２とは一端部どうしを共有している。
また、第２部分７２の他端部は、第１部分７１の延在経路から外れた位置に配置されている。より詳細には、第２部分７２の他端部は、第１部分７１の両端を通る直線の下側に配置されている。
【００３７】
また、各第２揺動部７０の他端部である第１部分７１の他端部は、操作部２０の側部に対して、固定部９５において固定されている。したがって、操作部２０は第２揺動部７０と一体に設けられている。
例えば、操作部２０の左右両側部からは、断面非円形（例えばＤカット形状）の突起がそれぞれ側方に突出しており、これら突起が、第１部分７１の他端部に形成された断面非円形（例えばＤカット形状）の嵌入孔に対してそれぞれ嵌入することによって、操作部２０と第１部分７１とが相互に固定されている。
【００３８】
本実施形態の場合、揺動規制部は、ヘッド部３０の側面に形成されているガイド溝（ガイド部）１１１と、第２揺動部７０の第２部分７２の他端部に形成されている被ガイド突起（被ガイド部）７３と、を含んで構成されている。
より詳細には、液剤吐出器付きキャップ５０は、第２揺動部７０の各々と対応する左右一対の揺動規制部を備えている。
左側の揺動規制部は、ヘッド本体部３１の左側面に形成されたガイド溝１１１と、左側の第２揺動部７０の第２部分７２の他端部から右方に向けて突出している被ガイド突起７３と、を含んで構成されている。
同様に、右側の揺動規制部は、ヘッド本体部３１の右側面に形成されたガイド溝１１１と、右側の第２揺動部７０の第２部分７２の他端部から左方に向けて突出している被ガイド突起７３と、を含んで構成されている。
各ガイド溝１１１は、例えば、後方に向けて下り傾斜しているとともに後方斜め上に向けて凸の弧状（例えば螺旋円弧状）に形成されている。なお、各ガイド溝１１１は、第１軸支部９１及び第２軸支部９２に対して直交する面内において延在している。
各ガイド溝１１１には、それぞれ対応する被ガイド突起７３が嵌め込まれている。各被ガイド突起７３は、操作部２０が押し下げられる際に、対応するガイド溝１１１によりガイドされて、該ガイド溝１１１に沿って摺動する。
なお、ここで説明した例とは逆に、ガイド溝１１１が第２揺動部７０に形成されているとともに、被ガイド突起７３がヘッド本体部３１に形成されていても良い。
すなわち、揺動規制部は、ヘッド部３０又は第２揺動部７０の一方に形成されているガイド部（例えばガイド溝１１１）と、ヘッド部３０又は第２揺動部７０の他方に形成されていて操作部２０が押し下げられる際にガイド部に沿って摺動する被ガイド部（例えば被ガイド突起７３）と、を含んで構成されている。
【００３９】
ここで、常態において、第１揺動部６０は、その一端部が第２軸支部９２によって支えられるとともに、作用面６３において突起部３３によって支えられることにより、一定の姿勢（第１軸支部９１を起点として第２軸支部９２に向かって後方斜め上方に延伸する姿勢）に維持される。
また、常態において、第２揺動部７０は、その一端部が第２軸支部９２において第１揺動部６０によって支えられるとともに、被ガイド突起７３がガイド溝１１１によって支えられることにより、一定の姿勢に維持される。より詳細には、第１部分７１は、第２軸支部９２を起点として固定部９５に向かって前方斜め上方に延伸する姿勢となり、第２部分７２は、第１部分７１よりも水平に近い姿勢で、第２軸支部９２を起点として前方斜め上方に延伸する姿勢となる。
【００４０】
操作部２０を押下すると、操作部２０と一体に第２揺動部７０が下方に移動する。この際に、第２軸支部９２は第１軸支部９１を中心とする弧状に下方に向けて移動し、被ガイド突起７３はガイド溝１１１に沿って下方に向けて弧状に（螺旋円弧状に）ガイドされる。
このため、操作部２０を押下する際には、第１揺動部６０は、第１軸支部９１を支点として装着部５２に対して相対的に揺動（図３において時計回りに揺動）する。
【００４１】
ここで、操作部２０が押し下げられる際に第２揺動部７０の傾斜角度が一定に維持されるように、ガイド部（ガイド溝１１１）の形状が設定されている。
より詳細には、例えば、上記のように第１軸支部９１の軸及び第２軸支部９２の軸がそれぞれ水平且つ互いに平行に配置されているとともに、操作部２０が押し下げられる際に、水平方向における第２軸支部９２の移動距離Ｌ１（図３）と、水平方向における被ガイド部（被ガイド突起７３）の移動距離Ｌ２（図３）と、が互いに等しく、下方への第２軸支部９２の移動距離Ｌ３（図３）が、下方へのヘッド部３０の移動距離Ｌ４（図３）とガイド部に対して相対的に下方への被ガイド部の移動距離Ｌ５（図３）との和に等しくなるように、ガイド部（ガイド溝１１１）の形状が設定されている。
【００４２】
操作部２０が押し下げられる際に、図３において、第１揺動部６０は第１軸支部９１を支点として装着部５２に対して相対的に時計回りに揺動するのに対して、第２揺動部７０は第２軸支部９２を支点として第１揺動部６０に対して相対的に反時計回りに揺動する。
つまり、揺動規制部は、操作部２０が押し下げられる際に、第１揺動部６０に対する第２揺動部７０の揺動方向を、装着部５２に対する第１揺動部６０の揺動による操作部２０の姿勢変化を相殺する方向に規制する。
ただし、操作部２０が押し下げられる際に、第２揺動部７０は、装着部５２に対しては、揺動せずに相対的に下方に移動する。
【００４３】
なお、作用部（作用面６３及び突起部３３）の配置は、第１軸支部９１と第２軸支部９２との間に作用部が位置している限りにおいて、特に限定されない。作用部がこのような配置となっていることにより、操作部２０を押下することによって、テコの原理を利用して、ヘッド部３０を押し下げることができる。
例えば、作用部が第１軸支部９１と第２軸支部９２とのおよそ中間位置に配置されている場合には、操作部２０を押下することによって、直にヘッド部３０を押下する場合と比べておよそ１／２の大きさの力でヘッド部３０を押し下げることができる。
【００４４】
操作部２０の形状は特に限定されないが、例えば、操作部２０は平板状（盤状）に形成されている。操作部２０の平面形状は、例えば、円形又は楕円形などとすることができるが、その他の形状であっても良い。
操作部２０は、例えば、ヘッド部３０の上方において水平に配置されている。本実施形態の場合、操作部２０は、固定部９５よりも前方に突出しているとともに、固定部９５よりも後方にも突出している。
【００４５】
ここで、図４に示すように、左側の第１揺動部６０の第２部分６２は、第２揺動部７０の厚み（左右幅寸法）分だけ、当該第１揺動部６０の第１部分６１に対して左側にオフセットして配置されている。また、左側の第２揺動部７０は、平面視において、左側の第１揺動部６０の第２部分６２の右側に隣接して配置されている。これにより、左側の第１揺動部６０の第１部分６１と第２揺動部７０とが左右方向において互いに同位置に配置されている。
同様に、右側の第１揺動部６０の第２部分６２は、第２揺動部７０の厚み分だけ、当該第１揺動部６０の第１部分６１に対して右側にオフセットして配置されている。また、右側の第２揺動部７０は、平面視において、右側の第１揺動部６０の第２部分６２の左側に隣接して配置されている。これにより、右側の第１揺動部６０の第１部分６１と第２揺動部７０とが左右方向において互いに同位置に配置されている。
更に、左側の支持部５４は左側の第１部分６１の右側に配置され、右側の支持部５４は右側の第１部分６１の左側に配置されている。これにより、図４に示すように各支持部５４の少なくとも一部分が装着部５２の上方位置に配置されていても、ヘッド部３０の平面寸法を十分な大きさに設定することを実現できる。
【００４６】
なお、ガイド溝１１１は、外筒部３２の側部に形成されていても良いが、本実施形態の場合、ヘッド本体部３１は、外筒部３２から左右両側方に張り出しているとともに外筒部３２よりも後方に突出した形状のガイド形成部１１０を外筒部３２と一体に有しており、ガイド溝１１１はガイド形成部１１０の側面に形成されている。
ガイド形成部１１０は、側面視において弧状（螺旋円弧状）に形成されており、ガイド溝１１１は、側面視においてガイド形成部１１０が延在する方向に沿って延在している。
【００４７】
なお、液剤吐出器付きキャップ５０は、例えば、左右対称に形成されている。
【００４８】
液剤吐出器付きキャップ５０、液剤吐出容器１００及び液剤吐出容器詰め品２００は、以上のように構成されている。
【００４９】
ここで、本実施形態に係る液剤吐出容器１００は、以下のようにも定義される。すなわち、液剤吐出容器１００は、液剤１５０を貯留する容器本体１０と、容器本体１０に装着される装着部５２と、装着部５２に対して上下動可能に装着部５２に保持され装着部５２に対して相対的に押し下げられることにより液剤１５０を通過させるヘッド部３０と、ヘッド部３０を通過した液剤１５０を吐出する吐出口４１と、水平な軸を持つ第１軸支部９１において装着部５２に対して揺動可能に軸支され第１軸支部９１を支点として下向き方向及びその反対方向に揺動可能な第１揺動部６０と、第１軸支部９１の軸に対して平行な軸を持つ第２軸支部９２において第１揺動部６０に対して揺動可能に軸支され第２軸支部９２を支点として下向き方向及びその反対方向に揺動可能な第２揺動部７０と、第２揺動部７０に一体に設けられているとともに装着部５２に対して相対的に押し下げられる操作部２０と、第１軸支部９１と第２軸支部９２との間に位置し操作部２０が押し下げられる際に第１揺動部６０からヘッド部３０に対して押下力を伝達する作用部（例えば作用面６３及び突起部３３）と、ヘッド部３０又は第２揺動部７０の一方に形成されているガイド部（例えばガイド溝１１１）と、ヘッド部３０又は第２揺動部７０の他方に形成されていて操作部２０が押し下げられる際にガイド部に沿って摺動する被ガイド部（例えば被ガイド突起７３）と、を備えている。そして、ガイド部は弧状（例えば螺旋円弧状）に形成されており、ガイド部の水平方向寸法は操作部２０が押し下げられる際の水平方向における第２軸支部９２の移動距離（Ｌ１）に等しく（つまり、ガイド溝１１１の水平方向寸法であるＬ２が移動距離Ｌ１に等しく）、ガイド部の上下方向寸法は操作部２０が押し下げられる際の下方へのヘッド部３０の移動距離Ｌ４と、操作部２０が押し下げられる際のガイド部に対して相対的に下方への被ガイド部の移動距離Ｌ５と、の和に等しい（つまり、ガイド溝１１１の上下方向寸法であるＬ３が移動距離Ｌ４とＬ５との和に等しい）。
【００５０】
次に、動作を説明する。
【００５１】
液剤吐出容器１００から泡体を吐出するためには、操作部２０に対して押下操作を行う。これにより、第２揺動部７０及び第１揺動部６０を介してヘッド部３０が押下され、ヘッド部３０はバネ体５８の付勢に抗して押し下げられる。ヘッド部３０が押し下げられることにより、ノズル部４０の吐出口４１から泡体が吐出される。
【００５２】
ここで、操作部２０が押し下げられる際に、操作部２０と一体に第２揺動部７０が下方に移動し、それに伴い、被ガイド突起７３はガイド溝１１１に沿って下方に向けて螺旋円弧状にガイドされ、且つ、第２軸支部９２は第１軸支部９１を中心とする弧状に下方に向けて移動する。したがって、第１揺動部６０は第１軸支部９１を支点として装着部５２に対して相対的に揺動（図３において時計回りに揺動）する。この際に、突起部３３が第１揺動部６０の作用面６３により下方に押し下げられるので、ヘッド部３０が下降する。
このとき、ガイド溝１１１が被ガイド突起７３の移動方向を規制することによって、第１揺動部６０に対する第２揺動部７０の揺動方向が、装着部５２に対する第１揺動部６０の揺動による操作部２０の姿勢変化を相殺する方向に規制される。その結果、第２揺動部７０の傾斜角度が一定に維持され、操作部２０は水平に維持される。
【００５３】
また、操作部２０を押下する力を解除すると、ヘッド部３０はバネ体５８の付勢に従って、常態の位置まで上昇する。この際に、突起部３３が作用面６３を押し上げることにより、第１揺動部６０は第１軸支部９１を支点として装着部５２に対して相対的に揺動（図３において反時計回りに揺動）するため、第２軸支部９２は第１軸支部９１を中心とする弧状に上方に向けて移動する。よって、第２揺動部７０及び操作部２０が持ち上げられるが、その際に、被ガイド突起７３がガイド溝１１１によってガイドされることにより、第２揺動部７０の傾斜角度が一定に維持される。よって、操作部２０は水平に維持されたまま、常態の位置まで復帰（上昇）する。
【００５４】
以上のような実施形態によれば、液剤吐出容器１００は、液剤１５０を貯留する容器本体１０と、容器本体１０に装着される装着部５２と、装着部５２に対して上下動可能に装着部５２に保持され装着部５２に対して相対的に押し下げられることにより液剤１５０を通過させるヘッド部３０と、ヘッド部３０を通過した液剤１５０を吐出する吐出口４１と、装着部５２に対して第１軸支部９１において揺動可能に軸支され第１軸支部９１を支点として下向き成分を持つ方向及びその反対方向に揺動可能な第１揺動部６０と、第１揺動部６０に対して第２軸支部９２において揺動可能に軸支され第２軸支部９２を支点として下向き成分を持つ方向及びその反対方向に揺動可能な第２揺動部７０と、第２揺動部７０によって直接又は間接に支持されているとともに装着部５２に対して相対的に押し下げられる操作部２０と、第１軸支部９１と第２軸支部９２との間に位置し操作部２０が押し下げられる際に第１揺動部６０からヘッド部３０に対して押下力を伝達する作用部（作用面６３と突起部３３とにより構成される）と、を備えている。これにより、テコの原理を利用してヘッド部を押し下げることができる。
１回の吐出操作により吐出される液剤１５０の容量が比較的多いタイプの液剤吐出容器１００においても、十分に軽い力で操作部２０を押下することによって、ヘッド部３０を押し下げることができる。
また、本実施形態のように液剤１５０を泡体として吐出するタイプの液剤吐出容器１００では、液剤１５０をそのままの状態で吐出するタイプの液剤吐出容器と比べて液剤１５０の吐出のためのヘッド部３０の押し圧が大きくなるが、十分に軽い力で操作部２０を押下することによって、ヘッド部３０を押し下げることが可能である。
また、液剤１５０の粘度が標準的なものよりも高粘度の場合であっても、十分軽い力で操作部２０を押下することによって、ヘッド部３０を押し下げることができる。
【００５５】
そして、液剤吐出容器１００は、更に、操作部２０が押し下げられる際に第１揺動部６０に対する第２揺動部７０の揺動方向を、装着部５２に対する第１揺動部６０の揺動による操作部２０の姿勢変化を相殺する方向に規制する揺動規制部を備えている。
これにより、操作部２０を押し下げる際における操作部２０の姿勢の変化を抑制できるため、ヘッド部３０を直に押し下げるタイプの液剤吐出容器に近い操作感を実現することができる。よって、ヘッド部３０を直に押し下げるタイプの液剤吐出容器の操作に慣れたユーザーにとって、慣れた操作となるため、安心感をもって使用することができる。そして、操作部２０を安定的に押し下げることができ、操作部２０を押し下げる際における液剤吐出容器１００全体の安定性も良好に維持できる。
より詳細には、揺動規制部は、操作部２０が押し下げられる際に第２揺動部７０の傾斜角度が一定に維持されるように構成されているとともに、操作部２０は第２揺動部７０と一体に設けられている。よって、操作部２０が押し下げられる際に操作部２０の姿勢が一定に（例えば水平に）維持されるため、ヘッド部３０を直に押し下げるタイプの液剤吐出容器と同等の操作感を実現できる。
【００５６】
〔第２の実施形態〕
次に、図９から図１２を用いて第２の実施形態を説明する。
本実施形態に係る液剤吐出器付きキャップ５０は、以下に説明する点で、上記の第１の実施形態に係る液剤吐出器付きキャップ５０と相違し、その他の点では、上記の第１の実施形態に係る液剤吐出器付きキャップ５０と同様に構成されている。
図９から図１１の各図に示す状態は、操作部２０及びヘッド部３０が押し下げられていない通常時の状態（常態）である。一方、図１２に示す状態は、操作部２０及びヘッド部３０が下限位置まで押し下げられた状態（押下状態）である。
図１１及び図１２における左方向が前方、図１１及び図１２における右方向が後方であるものとし、図１１及び図１２における紙面の奥側方向が左方、図１１及び図１２における紙面の手前側方向が右方であるものとする。
【００５７】
本実施形態の場合、第１揺動部６０は、例えば、直線状の棒状に形成されている後部６６と、後部６６の前端から二股に分岐している左右一対の前側分枝部６４、６５と、を備えて構成されている。
平面視において、第１揺動部６０は、前側分枝部６４、６５の後部によって、内筒部３４及び起立筒５３の後部の周囲を半円状に囲んでいる。また、前側分枝部６４、６５の各々の前部は、直線状の棒状に形成されており、前側分枝部６４、６５の後部の前端から前方に延出している。左側の前側分枝部６５は、常態においてヘッド本体部３１の左側に位置し、右側の前側分枝部６４は常態においてヘッド本体部３１の右側に位置している。
図１１及び図１２に示すように、側面視においては、後部６６と前側分枝部６４とは同一直線上に位置している。なお、図１１及び図１２では前側分枝部６４などの奥に隠れて見えないが、前側分枝部６５も後部６６と同一直線上に位置している。
左側の前側分枝部６４の前端部は、左側の支持部５４の上端部に対して第１軸支部９１にて軸支されている。同様に、右側の前側分枝部６４の前端部は、右側の支持部５４の上端部に対して第１軸支部９１にて軸支されている。本実施形態の場合も、左右の第１軸支部９１は、互いに同軸に配置されている。
また、後部６６の後端部は、第２揺動部７０の下端部に対して第２軸支部９２にて軸支されている。
【００５８】
本実施形態の場合、第１揺動部６０は、例えば前側分枝部６４及び前側分枝部６５の上側にそれぞれ設けられた環状の部分である環状部６７を有しており、環状部６７の上部の下面により作用面６３が構成されている。
また、本実施形態の場合、ヘッド本体部３１は、例えば、外筒部３２を有していない。そして、左側の突起部３３は、例えば、内筒部３４の上端部における左側面から左方に突出しており、右側の突起部３３は、例えば、内筒部３４の上端部における右側面から右方に突出している。
そして、左側の突起部３３の上に左側の環状部６７の作用面６３が載せられており、右側の突起部３３の上に右側の環状部６７の作用面６３が載せられている。
【００５９】
本実施形態の場合、揺動規制部は、装着部５２に対して第３軸支部９３において揺動可能に軸支されているとともに第２揺動部７０に対して第４軸支部９４において揺動可能に軸支されている第３揺動部８０を含んで構成されている。
第３揺動部８０は、例えば、第１揺動部６０から左右の環状部６７を除いたものと同様に形成されている。すなわち、第３揺動部８０は、例えば、直線状の棒状に形成されている後部８６と、後部８６の前端から二股に分岐している左右一対の前側分枝部８４、８５と、を備えて構成されている。
平面視において、第３揺動部８０は、前側分枝部８４、８５の後部によって、内筒部３４及び起立筒５３の後部の周囲を半円状に囲んでいる。また、前側分枝部８４、８５の各々の前部は、直線状の棒状に形成されており、前側分枝部８４、８５の後部の前端から前方に延出している。左側の前側分枝部８５は、常態においてヘッド本体部３１の左側に位置し、右側の前側分枝部８４は常態においてヘッド本体部３１の右側に位置している。
図１１及び図１２に示すように、側面視においては、後部８６と前側分枝部８４とは同一直線上に位置している。また、図１１及び図１２では前側分枝部８４などの奥に隠れて見えないが、前側分枝部８５も後部８６と同一直線上に位置している。
左側の前側分枝部８４の前端部は、左側の支持部５４の上端部に対して第３軸支部９３にて軸支されている。同様に、右側の前側分枝部８４の前端部は、右側の支持部５４の上端部に対して第３軸支部９３にて軸支されている。左右の第３軸支部９３は互いに同軸に配置されている。
また、後部６６の後端部は、第２揺動部７０の下端部に対して第２軸支部９２にて軸支されている。
そして、第１軸支部９１の軸と、第２軸支部９２の軸と、第３軸支部９３の軸と、第４軸支部９４の軸と、が互いに平行に配置されている。
【００６０】
より詳細には、例えば、左右の支持部５４の各々の上端部には、左右に並ぶ一対のブラケット５４ａが、それぞれ立設された状態で設けられている。
そして、左側の支持部５４の一対のブラケット５４ａの上部に対して、左側の前側分枝部６５の前端部が第１軸支部９１にて軸支され、右側の支持部５４の一対のブラケット５４ａの上部に対して、右側の前側分枝部６４の前端部が第１軸支部９１にて軸支されている。
更に、左側の支持部５４の一対のブラケット５４ａの下部に対して、左側の前側分枝部８５の前端部が第３軸支部９３にて軸支され、右側の支持部５４の一対のブラケット５４ａの下部に対して、右側の前側分枝部８４の前端部が第３軸支部９３にて軸支されている。
また、例えば、第２揺動部７０の下端部には、左右に並ぶ一対のブラケット７４が、それぞれ垂下する状態で設けられている。
そして、一対のブラケット７４の上部に対して、後部６６の後端部が第２軸支部９２にて軸支されているとともに、一対のブラケット７４の下部に対して、後部８６の後端部が第４軸支部９４にて軸支されている。
従って、第１揺動部６０の下側に第３揺動部８０が配置されている。
【００６１】
更に、第１軸支部９１の軸方向に、第１軸支部９１、第２軸支部９２、第３軸支部９３及び第４軸支部９４を視たときに（すなわち側面視において）、第１軸支部９１と第２軸支部９２との距離と、第３軸支部９３と第４軸支部９４との距離と、が互いに等しいとともに、第１軸支部９１と第３軸支部９３との距離と、第２軸支部９２と第４軸支部９４との距離と、が互いに等しい。
つまり、第１揺動部６０における第１軸支部９１と第２軸支部９２との間の部分と、第３揺動部８０における第３軸支部９３と第４軸支部９４との間の部分と、一対のブラケット５４ａにおける第１軸支部９１と第３軸支部９３との間の部分と、一対のブラケット７４における第２軸支部９２と第４軸支部９４との間の部分と、により平行クランク機構が構成されている。
このため、本実施形態の場合も、揺動規制部は、操作部２０が押し下げられる際に、第１揺動部６０に対する第２揺動部７０の揺動方向を、装着部５２に対する第１揺動部６０の揺動による操作部２０の姿勢変化を相殺する方向に規制する。
より詳細には、本実施形態の場合も、操作部２０が押し下げられる際に操作部２０の姿勢が一定に（例えば水平に）維持されるため、ヘッド部３０を直に押し下げるタイプの液剤吐出容器と同等の操作感を実現できる。
【００６２】
また、本実施形態の場合、第２揺動部７０の形状は特に限定されないが、例えば、図１１に示すように、第２揺動部７０は、上方に向けて前方に変位する形状に屈曲しており、その上端部の前側に操作部２０を水平に保持している。
【００６３】
本実施形態の場合も、液剤吐出器付きキャップ５０は、例えば、左右対称に形成されている。
【００６４】
なお、本実施形態に係る液剤吐出容器は、全体の図示は省略するが、本実施形態に係る液剤吐出器付きキャップ５０と、上記の第１の実施形態と同様の容器本体１０（図１参照）と、を備えて構成されている。
また、本実施形態に係る液剤吐出容器詰め品は、全体の図示は省略するが、本実施形態に係る液剤吐出容器と、容器本体１０に充填された液剤と、を備えて構成されている。
【００６５】
ここで、本実施形態に係る液剤吐出容器は、以下のようにも定義される。すなわち、液剤吐出容器は、液剤１５０を貯留する容器本体１０と、容器本体１０に装着される装着部５２と、装着部５２に対して上下動可能に装着部５２に保持され装着部５２に対して相対的に押し下げられることにより液剤１５０を通過させるヘッド部３０と、ヘッド部３０を通過した液剤１５０を吐出する吐出口４１と、水平な軸を持つ第１軸支部９１において装着部５２に対して揺動可能に軸支され第１軸支部９１を支点として下向き方向及びその反対方向に揺動可能な第１揺動部６０と、第１軸支部９１の軸に対して平行な軸を持つ第２軸支部９２において第１揺動部６０に対して揺動可能に軸支され第２軸支部９２を支点として下向き方向及びその反対方向に揺動可能な第２揺動部７０と、第２揺動部７０に一体に設けられているとともに装着部５２に対して相対的に押し下げられる操作部２０と、第１軸支部９１と第２軸支部９２との間に位置し操作部２０が押し下げられる際に第１揺動部６０からヘッド部３０に対して押下力を伝達する作用部（例えば作用面６３及び突起部３３）と、水平な軸を持つ第３軸支部９３において装着部５２に対して揺動可能に軸支されているとともに水平な軸を持つ第４軸支部９４において第２揺動部７０に対して揺動可能に軸支されている第３揺動部８０と、を備えている。
そして、第１軸支部９１の軸方向に、第１軸支部９１、第２軸支部９２、第３軸支部９３及び第４軸支部９４を視たときに、第１軸支部９１と第２軸支部９２との距離と、第３軸支部９３と第４軸支部９４との距離と、が互いに等しいとともに、第１軸支部９１と第３軸支部９３との距離と、第２軸支部９２と第４軸支部９４との距離と、が互いに等しい。
【００６６】
ここで、図１２に示すように操作部２０を押し下げることによってヘッド部３０を押し下げた際に、第１揺動部６０の前側分枝部６４（及び前側分枝部６５）の後部、並びに、第３揺動部８０の前側分枝部８４（及び前側分枝部８５）の後部が、起立筒５３に対して干渉することなく、起立筒５３の上端よりも下の位置に下降するようになっている。よって、操作部２０の押し下げ幅（上下ストローク）を十分に確保できる結果、ヘッド部３０の押し下げ幅（上下ストローク）も十分に確保することができる。
【００６７】
なお、本実施形態において、液剤吐出器付きキャップ５０は、必ずしも、平行クランク機構を有していなくても良い。操作部２０が押し下げられる際に、第１揺動部６０に対する第２揺動部７０の揺動方向を、装着部５２に対する第１揺動部６０の揺動による操作部２０の姿勢変化を相殺する方向に規制できる限りにおいて、側面視において、第１軸支部９１から第２軸支部９２までの距離と第３軸支部９３から第４軸支部９４までの距離とが相違していたり、第１軸支部９１から第３軸支部９３までの距離と第２軸支部９２から第４軸支部９４までの距離とが相違していたりしても良い。
【００６８】
〔第３の実施形態〕
次に、図１３から図１７を用いて第３の実施形態を説明する。
本実施形態に係る液剤吐出器付きキャップ５０は、以下に説明する点で、上記の第１の実施形態に係る液剤吐出器付きキャップ５０と相違し、その他の点では、上記の第１の実施形態に係る液剤吐出器付きキャップ５０と同様に構成されている。
図１３から図１６の各図に示す状態は、操作部２０及びヘッド部３０が押し下げられていない通常時の状態（常態）である。一方、図１７に示す状態は、操作部２０及びヘッド部３０が下限位置まで押し下げられた状態（押下状態）である。
図１５から図１７における左方向が前方、図１５から図１７における右方向が後方であるものとし、図１５から図１７における紙面の奥側方向が左方、図１５から図１７における紙面の手前側方向が右方であるものとする。
【００６９】
本実施形態の場合、第１揺動部６０は、例えば、平面視において環状の形状に形成されており、第１揺動部６０の中央には開口６０ａが形成されている。
また、本実施形態の場合、ヘッド本体部３１は、例えば、外筒部３２を有していない。ノズル部４０は、ヘッド本体部３１の上端部から前方斜め上方に向けて突出している。
そして、ヘッド本体部３１の内筒部３４が第１揺動部６０の開口６０ａに挿通されている。
また、本実施形態の場合、支持部５４は、例えば、起立筒５３の前部から斜め上前方に向けて起立している。第１揺動部６０の前端部は、支持部５４の上端部に対して第１軸支部９１にて軸支されている。本実施形態の場合、第１軸支部９１の数が１つである点でも第１の実施形態と相違している。
【００７０】
また、第２揺動部７０は操作部２０と一体に形成されており、第２揺動部７０は操作部２０とともにヘッド部３０を上側から覆うカバーを構成している。このカバーの下面側には、下向きに開口する凹部２０ａが形成されている。
第２揺動部７０の上側に操作部２０が形成されており、操作部２０の上面には、下向きに窪んだ凹部２２が形成されている。
第２揺動部７０の一端部は第２軸支部９２にて第１揺動部６０の後端部に対して軸支されている。本実施形態の場合も、第１軸支部９１及び第２軸支部９２はそれぞれ水平に配置され、且つ、互いに平行に配置されている。
側面視において、第２揺動部７０は、第２軸支部９２を折り返し点として第１揺動部６０に対して折り返され、当該第２揺動部７０の他端側が前側となる姿勢で、ノズル部４０の上に載せられている。つまり、第２揺動部７０は、その後端部が第２軸支部９２にて第１揺動部６０に軸支されている。
より詳細には、第２揺動部７０の前端の壁部には、下向きに開口する形状の切欠形状部７５が形成されており、切欠形状部７５の上縁７５ａは、ノズル部４０の上面４２に載せられている。なお、ノズル部４０は切欠形状部７５を前後に通過しており、ノズル部４０の先端部は切欠形状部７５から前方に突出している。
【００７１】
第１揺動部６０の左右両側部は、部分的に上下方向寸法が大きくなっている部分を有しており、当該部分の内面には、内向きに開口する凹部６８が形成されている。すなわち、第１揺動部６０の左側部の内面には、右向きに開口する凹部６８が形成され、第１揺動部６０の右側部の内面には、左向きに開口する凹部６８が形成されている。
本実施形態の場合、作用面６３は、凹部６８の上端位置を確定する内周面、すなわち下向きの面により構成されている。また、突起部３３は、第２の実施形態と同様に、内筒部３４の上端部の左右両側面からそれぞれ側方に向けて突出している。そして、各突起部３３に、対応する作用面６３が載せられている。
【００７２】
本実施形態の場合、揺動規制部は、ヘッド部３０のノズル部４０の上面４２により構成されているガイド部と、第２揺動部７０の切欠形状部７５の上縁７５ａにより構成されている被ガイド部と、を含んで構成されている。
【００７３】
なお、本実施形態に係る液剤吐出容器は、全体の図示は省略するが、本実施形態に係る液剤吐出器付きキャップ５０と、上記の第１の実施形態と同様の容器本体１０（図１参照）と、を備えて構成されている。
また、本実施形態に係る液剤吐出容器詰め品は、全体の図示は省略するが、本実施形態に係る液剤吐出容器と、容器本体１０に充填された液剤と、を備えて構成されている。
【００７４】
本実施形態の場合、操作部２０を押し下げると、操作部２０と一体の第２揺動部７０が下降する。このため、第２軸支部９２が下降するのに伴い作用面６３が突起部３３を押し下げるため、ヘッド部３０が下降する。
この際に、上縁７５ａが上面４２に沿ってノズル部４０の基端側（後方）に向けて摺動する（図１５から図１７の変化を参照）。
本実施形態の場合は、操作部２０が押し下げられる際に、操作部２０及び第２揺動部７０の傾斜角度が変化する。ただし、第１揺動部６０の傾斜角度の変化がそのままに操作部２０及び第２揺動部７０の傾斜角度の変化に反映される訳ではない。揺動規制部の作用により、第１揺動部６０に対する第２揺動部７０の揺動方向が、装着部５２に対する第１揺動部６０の揺動による操作部２０の姿勢変化を相殺する方向に規制されるため、操作部２０及び第２揺動部７０の姿勢の変化（傾斜角度の変化）が抑制される。
よって、本実施形態の場合も、ヘッド部３０を直に押し下げるタイプの液剤吐出容器に近い操作感を実現することができる。
また、本実施形態の場合、ノズル部４０の上面４２と第２揺動部７０の切欠形状部７５の上縁７５ａとによって揺動規制部が構成されているため、液剤吐出器付きキャップ５０の部品点数の増加を抑制することができる。
【００７５】
なお、操作部２０の押し下げ前の状態では、図１５に示すように、第１揺動部６０は、その上端部を除き、操作部２０の凹部２０ａよりも下方に位置している。
これに対して、操作部２０が押し下げられた際には、図１７に示すように、第１揺動部６０は凹部２０ａ内に収容される。すなわち、操作部２０を押し下げる際に、第１揺動部６０が第２揺動部７０及び操作部２０に対して干渉しないようになっているため、操作部２０の押し下げ幅（上下ストローク）を十分に確保できる結果、ヘッド部３０の押し下げ幅（上下ストローク）も十分に確保することができる。
【００７６】
ここで、本実施形態に係る液剤吐出容器１００は、以下のようにも定義される。すなわち、液剤吐出容器１００は、液剤１５０を貯留する容器本体１０と、容器本体１０に装着される装着部５２と、装着部５２に対して上下動可能に装着部５２に保持され装着部５２に対して相対的に押し下げられることにより液剤１５０を通過させるヘッド部３０と、ヘッド部３０を通過した液剤１５０を吐出する吐出口４１と、水平な軸を持つ第１軸支部９１において装着部５２に対して揺動可能に軸支され第１軸支部９１を支点として下向き方向及びその反対方向に揺動可能な第１揺動部６０と、第１軸支部９１の軸に対して平行な軸を持つ第２軸支部９２において第１揺動部６０に対して揺動可能に軸支され第２軸支部９２を支点として下向き方向及びその反対方向に揺動可能な第２揺動部７０と、第２揺動部７０に一体に設けられているとともに装着部５２に対して相対的に押し下げられる操作部２０と、第１軸支部９１と第２軸支部９２との間に位置し操作部２０が押し下げられる際に第１揺動部６０からヘッド部３０に対して押下力を伝達する作用部（例えば作用面６３及び突起部３３）と、ヘッド部３０と一体に形成され操作部２０が押し下げられる際に第２揺動部７０をガイドし摺動させるガイド部（例えばノズル部４０の上面４２）と、を備え、第２揺動部７０は、第２軸支部９２を基準として水平方向において第１軸支部９１側（図１５、図１６及び図１７において第２軸支部９２の左側）の位置でガイド部に沿って摺動する。
【００７７】
〔第４の実施形態〕
次に、図１８から図２０を用いて第４の実施形態を説明する。
本実施形態に係る液剤吐出器付きキャップ５０は、以下に説明する点で、上記の第３の実施形態に係る液剤吐出器付きキャップ５０と相違し、その他の点では、上記の第３の実施形態に係る液剤吐出器付きキャップ５０と同様に構成されている。
図１８及び図１９に示す状態は、操作部２０及びヘッド部３０が押し下げられていない通常時の状態（常態）である。一方、図２０に示す状態は、操作部２０及びヘッド部３０が下限位置まで押し下げられた状態（押下状態）である。
図１９及び図２０における左方向が前方、図１９及び図２０における右方向が後方であるものとし、図１９及び図２０における紙面の奥側方向が左方、図１９及び図２０における紙面の手前側方向が右方であるものとする。
【００７８】
本実施形態の場合、第１揺動部６０は、例えば、平面視において環状の形状に形成されている環状部６９を有している。環状部６９の中央には開口６０ａが形成されている。
更に、第１揺動部６０は、第２の実施形態と同様の後部６６を有している。後部６６は、環状部６９の後端部から後方に延出している。
更に、第１揺動部６０は、第２の実施形態と同様の環状部６７を環状部６９の左右両側部の上側に有している。
【００７９】
本実施形態の場合、第２揺動部７０及び操作部２０の構造は、第２の実施形態（図９〜図１２）と同様である。また、作用部（作用面６３及び突起部３３）の構造も第２の実施形態と同様である。
【００８０】
また、本実施形態の場合、ノズル部４０の後部は、ヘッド本体部３１の内筒部３４の上端部から上方に起立し、ノズル部４０の前部は、当該ノズル部４０の後部の前端から前方に向けて延出している。
【００８１】
そして、液剤吐出器付きキャップ５０は、ヘッド部３０から上に突出している突起部３５を有しており、この突起部３５によってガイド部が構成されている。より詳細には、突起部３５の背面であるガイド面３６によってガイド部が構成されている。
突起部３５は、例えば、左右方向に一定の幅を有する板状部材であり、図１９に示すように、側面視において、後方に向けて凸の弧状に形成されている。
また、本実施形態の場合、例えば、操作部２０の前端面に被ガイド部２３が形成されている。被ガイド部２３は、例えば、前方に向けて凸の曲面形状に形成されている。
常態においては、被ガイド部２３は、ガイド面３６の上端部に接している（図１９参照）。
【００８２】
なお、本実施形態に係る液剤吐出容器は、全体の図示は省略するが、本実施形態に係る液剤吐出器付きキャップ５０と、上記の第１の実施形態と同様の容器本体１０（図１参照）と、を備えて構成されている。
また、本実施形態に係る液剤吐出容器詰め品は、全体の図示は省略するが、本実施形態に係る液剤吐出容器と、容器本体１０に充填された液剤と、を備えて構成されている。
【００８３】
本実施形態の場合も、操作部２０を押し下げると、操作部２０と一体の第２揺動部７０が下降する。このため、第２軸支部９２が下降するのに伴い作用面６３が突起部３３を押し下げるため、ヘッド部３０が下降する。
この際に、被ガイド部２３がガイド面３６に沿って下方に摺動する（図１９から図２０の変化を参照）。
【００８４】
ここで、本実施形態の場合、操作部２０が押し下げられる際に第２揺動部７０の傾斜角度が一定に維持されるように、ガイド面３６の形状が設定されている。
これにより、本実施形態の場合は、第３の実施形態とは異なり、操作部２０が押し下げられる際に、第２揺動部７０の傾斜角度が一定に維持され、操作部２０は水平に維持される。
また、操作部２０の前端面よって被ガイド部２３が構成されていることによって、液剤吐出器付きキャップ５０の部品点数の増加を抑制できる。
【００８５】
また、図２０に示すように操作部２０を押し下げることによってヘッド部３０を押し下げた際に、第１揺動部６０の環状部６９の後部の少なくとも下部が、起立筒５３に対して干渉することなく、起立筒５３の上端よりも下の位置に下降するようになっている。よって、操作部２０の押し下げ幅（上下ストローク）を十分に確保できる結果、ヘッド部３０の押し下げ幅（上下ストローク）も十分に確保することができる。
【００８６】
〔第５の実施形態〕
次に、図２１から図２５を用いて第５の実施形態を説明する。
本実施形態に係る液剤吐出器付きキャップ５０は、以下に説明する点で、上記の第１の実施形態に係る液剤吐出器付きキャップ５０と相違し、その他の点では、上記の第１の実施形態に係る液剤吐出器付きキャップ５０と同様に構成されている。
図２１及び図２４の各図に示す状態は、操作部２０及びヘッド部３０が押し下げられていない通常時の状態（常態）である。一方、図２５に示す状態は、操作部２０及びヘッド部３０が下限位置まで押し下げられた状態（押下状態）である。
図２１、図２４及び図２５における左方向が前方、図２１、図２４及び図２５における右方向が後方であるものとし、図２１、図２４及び図２５における紙面の奥側方向が左方、図２１、図２４及び図２５における紙面の手前側方向が右方であるものとする。
【００８７】
本実施形態の場合、第１揺動部６０は、例えば、環状の形状に形成されており、第１揺動部６０の中央には開口６０ａが形成されている。そして、ヘッド本体部３１は、例えば、外筒部３２を有しておらず、ヘッド本体部３１の内筒部３４が第１揺動部６０の開口６０ａに挿通されている。これらの点は第３の実施形態（図１３〜図１７）及び第４の実施形態（図１８〜図２０）とも同様である。
ただし、本実施形態の場合、第１揺動部６０は、例えば、側面視において湾曲しており、常態では、例えば前方斜め上方に向けて凸の姿勢となり（図２１）、押下状態では例えば後方斜め上方に向けて凸の姿勢となる（図２５）ようになっている。
【００８８】
突起部３３は、第４の実施形態と同様に、内筒部３４の上端部の左右両側部からそれぞれ側方に突出している。そして、各突起部３３の上に、第１揺動部６０の左右両側部が載せられている。第１揺動部６０において、操作部２０を押し下げる際に、突起部３３に対して接触して該突起部３３を押し下げる部分（面）が作用面６３である。
【００８９】
また、支持部５４は、例えば、第４の実施形態（図１８〜図２０）と同様に構成され、且つ、配置されている。そして、第１揺動部６０の前端部が支持部５４の一対のブラケット５４ａの上端部に対して第１軸支部９１にて軸支されている。本実施形態の場合、第１軸支部９１の数が１つである点でも第１の実施形態と相違している。
また、第１揺動部６０の後端部は第２軸支部９２にて第２揺動部７０の一端部に対して軸支されている。
【００９０】
第２揺動部７０は、側面視において直線的な形状に形成されていても良いし、適宜屈曲した形状に形成されていても良い。一例として、図２５に示すように押下げ状態において、第２揺動部７０が第１揺動部６０の後部の湾曲形状に沿って配置されるように、第２揺動部７０も湾曲した形状に形成されている。
第２揺動部７０の他端部には、第３軸支部９３にて第３揺動部８０が揺動可能に軸支されている。ここで、本実施形態の場合、第３揺動部８０は、平板形状の操作部２０の一部分（例えば下部）によって構成されている。
【００９１】
第２揺動部７０に対する第３揺動部８０の揺動の方向は、下向き成分を持つ方向及びその反対方向である。
すなわち、本実施形態の場合、液剤吐出器付きキャップ５０は、第２揺動部７０に対して第３軸支部９３において揺動可能に軸支され第３軸支部９３を支点として下向き成分を持つ方向及びその反対方向に揺動可能な第３揺動部８０を備え、操作部２０は第３揺動部８０と一体に設けられている。
より詳細には、第３軸支部９３は水平に配置されている。より詳細には、第１軸支部９１及び第２軸支部９２もそれぞれ水平に配置され、且つ、第１軸支部９１、第２軸支部９２及び第３軸支部９３が互いに平行に配置されている。
【００９２】
更に、液剤吐出器付きキャップ５０は、例えば、それぞれ筒状に形成された左右一対の軸支筒９６（図２２、図２３）を備えている（左側の軸支筒９６については不図示）。各軸支筒９６は、水平に設けられ、第３軸支部９３の軸部材の左右両端部を回転可能に保持している。各軸支筒９６の端部は、被ガイド形成部１２０に対して固定部９５にて固定されている。
したがって、被ガイド形成部１２０に固定された軸支筒９６が、第３軸支部９３の軸部材を介して、第２揺動部７０を揺動可能に軸支している、と言える。
【００９３】
第３揺動部８０の左右両側部の下面からは、それぞれ上下に延在する棒状に形成された一対の被ガイド形成部１２０が垂下している。
被ガイド形成部１２０の内面、すなわち左側の被ガイド形成部１２０の右側面及び右側の被ガイド形成部１２０の左側面には、それぞれ上下に延在する被ガイド溝１２１が形成されている。
更に、液剤吐出器付きキャップ５０は、それぞれ上下に延在する棒状に形成された左右一対のガイド部１３０を備えている。
左側のガイド部１３０は、例えば、左側の突起部３３の先端（左端）に固定され、当該突起部３３の上方及び下方に延出している。
右側のガイド部１３０は、例えば、右側の突起部３３の先端（右端）に固定され、当該突起部３３の上方及び下方に延出している。
左右のガイド部１３０は、例えば、それらの上端部が左右の被ガイド溝１２１に嵌まり込んでおり、対応する被ガイド溝１２１を上下にガイドしている。
【００９４】
そして、本実施形態の場合、ガイド部１３０と被ガイド溝１２１とによって揺動規制部が構成されている。
すなわち、本実施形態の場合、揺動規制部は、ヘッド部３０に形成されているガイド部１３０と、第３揺動部８０に形成されていて操作部２０が押し下げられる際にガイド部１３０に沿って摺動する被ガイド部（被ガイド溝１２１）と、を含んで構成されている。
そして、ガイド部１３０は、装着部５２に対するヘッド部３０の移動方向（上下方向）と平行に（つまり上下方向に）延在している。
【００９５】
本実施形態の場合、ノズル部４０は、例えば、操作部２０と一体に（つまり第２揺動部７０と一体に）設けられており、操作部２０の前端部から前方に突出している。ノズル部４０の基端部（後端部）の下面には、泡体をノズル部４０内に導入するための導入孔４３（図２４）が形成されている。
一方、内筒部３４の天面部には、泡体を外部に導出させる導出孔３７（図２４）が形成されている。
そして、導出孔３７と導入孔４３とは、連結管１４０により相互に連結されている。したがって、操作部２０の押下げに伴い導出孔３７から導出される泡体は、連結管１４０及び導入孔４３を介してノズル部４０に流入し、更に、ノズル部４０を通してノズル部４０の先端の吐出口４１から吐出される。
ここで、連結管１４０は、例えば、伸縮式に構成されており、一例として、蛇腹構造のものとなっている。
ただし、操作部２０の押下げに伴い連結管１４０が内筒部３４及び起立筒５３の内部に入り込むように液剤吐出器付きキャップ５０が構成されていても良い。
なお、ここでは、ノズル部４０が操作部２０と一体に（つまりヘッド本体部３１とは別体に）設けられている例を説明したが、ノズル部４０は、他の実施形態と同様にヘッド本体部３１と一体的に設けられていることも好ましい。この場合、連結管１４０は不要となる。
【００９６】
本実施形態の場合、操作部２０が押し下げられる際に、操作部２０及び第３揺動部８０と一体に設けられた被ガイド形成部１２０がガイド部１３０に沿って下方にガイドされるため、操作部２０は、水平を維持した状態で、第３揺動部８０及び被ガイド形成部１２０とともに下降する。
この際に、第２揺動部７０は、第３軸支部９３を支点として第３揺動部８０に対して揺動することが許容された状態で、下降する。したがって、第２軸支部９２も下降するため、第１揺動部６０は、第１軸支部９１を支点として装着部５２に対して揺動（図２１において時計回りに揺動）する。
よって作用面６３が突起部３３を押し下げることとなるため、ヘッド本体部３１が下降する。
ここで、図２１に示す状態（常態）から図２５に示す押下げ状態に移行する過程で、第２揺動部７０は、例えば、一旦は図２１における反時計回りに揺動した後、図２１における時計回りに揺動する。
【００９７】
なお、本実施形態に係る液剤吐出容器は、全体の図示は省略するが、本実施形態に係る液剤吐出器付きキャップ５０と、上記の第１の実施形態と同様の容器本体１０（図１参照）と、を備えて構成されている。
また、本実施形態に係る液剤吐出容器詰め品は、全体の図示は省略するが、本実施形態に係る液剤吐出容器と、容器本体１０に充填された液剤と、を備えて構成されている。
【００９８】
ここで、本実施形態に係る液剤吐出容器は、以下のようにも定義される。すなわち、液剤吐出容器は、液剤１５０を貯留する容器本体１０と、容器本体１０に装着される装着部５２と、装着部５２に対して上下動可能に装着部５２に保持され装着部５２に対して相対的に押し下げられることにより液剤１５０を通過させるヘッド部３０と、ヘッド部３０を通過した液剤１５０を吐出する吐出口４１と、水平な軸を持つ第１軸支部９１において装着部５２に対して揺動可能に軸支され第１軸支部９１を支点として下向き方向及びその反対方向に揺動可能な第１揺動部６０と、第１軸支部９１の軸に対して平行な軸を持つ第２軸支部９２において第１揺動部６０に対して揺動可能に軸支され第２軸支部９２を支点として下向き方向及びその反対方向に揺動可能な第２揺動部７０と、第１軸支部９１の軸に対して平行な軸を持つ第３軸支部において前記第２揺動部に対して揺動可能に軸支され、前記第３軸支部を支点として下向き方向及びその反対方向に揺動可能な第３揺動部と、
前記第３揺動部に一体に設けられているとともに前記装着部に対して相対的に押し下げられる操作部と、
前記第１軸支部と前記第２軸支部との間に位置し、前記操作部が押し下げられる際に前記第１揺動部から前記ヘッド部に対して押下力を伝達する作用部と、
前記ヘッド部又は前記第３揺動部の一方に形成されていて前記装着部に対する前記ヘッド部の移動方向と平行に延在しているガイド部と、
前記ヘッド部又は前記第３揺動部の他方に形成されていて、前記操作部が押し下げられる際に前記ガイド部に沿って下方に摺動する被ガイド部と、
を備える液剤吐出容器。
【００９９】
以上のような第５の実施形態によれば、液剤吐出容器は、第２揺動部７０に対して第３軸支部９３において揺動可能に軸支され第３軸支部９３を支点として下向き成分を持つ方向及びその反対方向に揺動可能な第３揺動部８０を更に備え、操作部２０は第３揺動部８０と一体に設けられている。これにより、第１〜第４の実施形態のように回動箇所が第１軸支部９１及び第２軸支部９２の２箇所である場合よりも更に、ヘッド部３０を直に押し下げるタイプの液剤吐出容器に近い操作感を実現することができる。
より詳細には、液剤吐出容器は、ヘッド部３０に形成されているガイド部１３０と、第３揺動部８０に形成されていて操作部２０が押し下げられる際にガイド部１３０に沿って摺動する被ガイド部（被ガイド溝１２１）と、を含んで構成されており、ガイド部１３０は、装着部５２に対するヘッド部３０の移動方向と平行に延在している。これにより、操作部２０を真下に押し下げることができる。つまり、操作部２０を水平方向に移動させることなく、操作部２０を押し下げることができるため、ヘッド部３０を直に押し下げるタイプの液剤吐出容器と同等の操作感を実現することができる。
【０１００】
本発明は上述の各実施形態に限定されるものではなく、本発明の目的が達成される限りにおける種々の変形、改良等の態様も含む。各実施形態において説明された事項は適宜、組み合わせることが可能である。
【０１０１】
液剤吐出容器１００及び液剤吐出器付きキャップ５０の各構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【０１０２】
また、上記の各実施形態では、第１揺動部６０、第２揺動部７０及び操作部２０等の構成が液剤吐出器付きキャップ５０の一部構成として予め組み込まれている例を説明した。ただし、本発明は、これらの例に限らず、第１揺動部６０、第２揺動部７０及び操作部２０等を備えていない一般的な構造の液剤吐出器付きキャップに、第１揺動部６０、第２揺動部７０及び操作部２０等の構成をアタッチメント（以下、液体吐出器用アタッチメントと称する）として後付けで装着できるようにしても良い。このようにすることにより、一般的な構造の液剤吐出器付きキャップに液体吐出器用アタッチメントを後付けで装着することによって、上記の各実施形態と同様の効果が得られる。
すなわち、本発明は、液剤１５０を貯留する容器本体に装着される装着部５２と、装着部５２に対して上下動可能に装着部５２に保持され、装着部５２に対して相対的に押し下げられることにより液剤１５０を通過させるヘッド部３０と、ヘッド部３０を通過した液剤１５０を吐出する吐出口４１と、を備える液剤吐出器付きキャップに装着して用いられる液体吐出器用アタッチメントであって、装着部５２に装着される第２装着部（不図示）と、第２装着部に対して第１軸支部において揺動可能に軸支され第１軸支部を支点として下向き成分を持つ方向及びその反対方向に揺動可能な第１揺動部と、第１揺動部に対して第２軸支部において揺動可能に軸支され第２軸支部を支点として下向き成分を持つ方向及びその反対方向に揺動可能な第２揺動部と、第２揺動部によって直接又は間接に支持されているとともに第２装着部に対して相対的に押し下げられる操作部と、第１軸支部と第２軸支部との間に位置し操作部が押し下げられる際に第１揺動部からヘッド部に対して押下力を伝達する作用部と、操作部が押し下げられる際に第１揺動部に対する第２揺動部の揺動方向を第２装着部に対する第１揺動部の揺動による操作部の姿勢変化を相殺する方向に規制する揺動規制部と、を備える液体吐出器用アタッチメントを提供する。
液体吐出器用アタッチメントの各構成のうち、第２装着部は、例えば、装着部５２の周囲に着脱可能に装着される環状の形状のものを例示することができるが、装着部５２に対して固定的に装着されるものであっても良いし、或いは、装着部５２以外の部位に対して装着されるものであっても良い。
また、液体吐出器用アタッチメントの第１軸支部９１、第１揺動部６０、第２軸支部９２、第２揺動部７０、操作部２０、作用部及び揺動規制部としては、上記の各実施形態と同様のものを用いることができる。ただし、液体吐出器用アタッチメントは、ヘッド部３０に対して着脱可能に又は固定的に装着されるヘッドカバー（不図示）を備えているとともに、このヘッドカバーが、突起部３３を備えていることが好ましい。この場合、例えば、第１揺動部６０の作用面６３がヘッドカバーの突起部３３を押し下げることにより、ヘッドカバーとともにヘッド部３０が下降し、ヘッド部３０が上昇する際には当該ヘッド部３０とともにヘッドカバーが上昇するようになっている。
更に、このヘッドカバーは、必要により、ガイド部（ガイド溝１１１、ノズル部４０の上面４２、ガイド面３６を有する突起部３５等）又は被ガイド部を備えていても良い。
上記のように、操作部２０と第２揺動部７０とは、例えば、一体に構成することができる。
また、液体吐出器用アタッチメントは、第２の実施形態と同様に第３揺動部８０、第３軸支部９３及び第４軸支部９４等を有していても良いし、第５の実施形態と同様に第３揺動部８０及び第３軸支部９３等を有していても良い。
【０１０３】
上記実施形態は、以下の技術思想を包含する。
＜１＞液剤を貯留する容器本体と、前記容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、前記装着部に対して第１軸支部において揺動可能に軸支され、前記第１軸支部を支点として下向き成分を持つ方向及びその反対方向に揺動可能な第１揺動部と、前記第１揺動部に対して第２軸支部において揺動可能に軸支され、前記第２軸支部を支点として下向き成分を持つ方向及びその反対方向に揺動可能な第２揺動部と、前記第２揺動部によって直接又は間接に支持されているとともに前記装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、前記操作部が押し下げられる際に、前記第１揺動部に対する前記第２揺動部の揺動方向を、前記装着部に対する前記第１揺動部の揺動による前記操作部の姿勢変化を相殺する方向に規制する揺動規制部と、を備える液剤吐出容器。
＜２＞前記揺動規制部は、前記ヘッド部又は前記第２揺動部の一方に形成されているガイド部と、前記ヘッド部又は前記第２揺動部の他方に形成されていて、前記操作部が押し下げられる際に前記ガイド部に沿って摺動する被ガイド部と、を含んで構成されている＜１＞に記載の液剤吐出容器。
＜３＞前記操作部が押し下げられる際に前記第２揺動部の傾斜角度が一定に維持されるように、前記ガイド部の形状が設定されている＜２＞に記載の液剤吐出容器。
＜４＞前記第１軸支部の軸及び前記第２軸支部の軸がそれぞれ水平且つ互いに平行に配置されており、前記操作部が押し下げられる際に、水平方向における前記第２軸支部の移動距離と、水平方向における前記被ガイド部の移動距離と、が互いに等しく、下方への前記第２軸支部の移動距離が、下方への前記ヘッド部の移動距離と前記ガイド部に対して相対的に下方への前記被ガイド部の移動距離との和に等しくなるように、前記ガイド部の形状が設定されている＜２＞又は＜３＞に記載の液剤吐出容器。
＜５＞前記ヘッド部は、ヘッド本体部と、前記ヘッド本体部から水平方向成分を持つ方向に突出し、前記吐出口が形成されているノズル部と、を備え、前記ガイド部は前記ノズル部の上面により構成されている＜２＞から＜４＞のいずれか一項に記載の液剤吐出容器。
＜６＞前記ガイド部は前記ヘッド部から上に突出している突起部により構成されている＜２＞から＜４＞のいずれか一項に記載の液剤吐出容器。
＜７＞前記揺動規制部は、前記装着部に対して第３軸支部において揺動可能に軸支されているとともに前記第２揺動部に対して第４軸支部において揺動可能に軸支されている第３揺動部を含んで構成され、前記第１軸支部の軸と、前記第２軸支部の軸と、前記第３軸支部の軸と、前記第４軸支部の軸と、が互いに平行に配置されている＜１＞に記載の液剤吐出容器。
＜８＞前記第１軸支部の軸方向に、前記第１軸支部、前記第２軸支部、前記第３軸支部及び前記第４軸支部を視たときに、前記第１軸支部と前記第２軸支部との距離と、前記第３軸支部と前記第４軸支部との距離と、が互いに等しいとともに、前記第１軸支部と前記第３軸支部との距離と、前記第２軸支部と前記第４軸支部との距離と、が互いに等しい＜７＞に記載の液剤吐出容器。
＜９＞前記操作部は前記第２揺動部と一体に設けられている＜１＞から＜８＞のいずれか一項に記載の液剤吐出容器。
＜１０＞前記第２揺動部に対して第３軸支部において揺動可能に軸支され、前記第３軸支部を支点として下向き成分を持つ方向及びその反対方向に揺動可能な第３揺動部を更に備え、前記操作部は前記第３揺動部と一体に設けられている＜１＞に記載の液剤吐出容器。
＜１１＞前記揺動規制部は、前記ヘッド部に形成されているガイド部と、前記第３揺動部に形成されていて、前記操作部が押し下げられる際に前記ガイド部に沿って摺動する被ガイド部と、を含んで構成されている＜１０＞に記載の液剤吐出容器。
＜１２＞前記ガイド部は、前記装着部に対する前記ヘッド部の移動方向と平行に延在している＜１１＞に記載の液剤吐出容器。
＜１３＞液剤を貯留する容器本体と、前記容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、水平な軸を持つ第１軸支部において前記装着部に対して揺動可能に軸支され、前記第１軸支部を支点として下向き方向及びその反対方向に揺動可能な第１揺動部と、前記第１軸支部の軸に対して平行な軸を持つ第２軸支部において前記第１揺動部に対して揺動可能に軸支され、前記第２軸支部を支点として下向き方向及びその反対方向に揺動可能な第２揺動部と、前記第２揺動部に一体に設けられているとともに前記装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、前記ヘッド部又は前記第２揺動部の一方に形成されているガイド部と、前記ヘッド部又は前記第２揺動部の他方に形成されていて、前記操作部が押し下げられる際に前記ガイド部に沿って摺動する被ガイド部と、を備え、前記ガイド部は弧状に形成されており、前記ガイド部の水平方向寸法は、前記操作部が押し下げられる際の水平方向における前記第２軸支部の移動距離に等しく、前記ガイド部の上下方向寸法は、前記操作部が押し下げられる際の下方への前記ヘッド部の移動距離と、前記操作部が押し下げられる際の前記ガイド部に対して相対的に下方への前記被ガイド部の移動距離と、の和に等しい液剤吐出容器。
＜１４＞液剤を貯留する容器本体と、前記容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、水平な軸を持つ第１軸支部において前記装着部に対して揺動可能に軸支され、前記第１軸支部を支点として下向き方向及びその反対方向に揺動可能な第１揺動部と、前記第１軸支部の軸に対して平行な軸を持つ第２軸支部において前記第１揺動部に対して揺動可能に軸支され、前記第２軸支部を支点として下向き方向及びその反対方向に揺動可能な第２揺動部と、前記第２揺動部に一体に設けられているとともに前記装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、水平な軸を持つ第３軸支部において前記装着部に対して揺動可能に軸支されているとともに水平な軸を持つ第４軸支部において前記第２揺動部に対して揺動可能に軸支されている第３揺動部と、を備え、前記第１軸支部の軸方向に、前記第１軸支部、前記第２軸支部、前記第３軸支部及び前記第４軸支部を視たときに、前記第１軸支部と前記第２軸支部との距離と、前記第３軸支部と前記第４軸支部との距離と、が互いに等しいとともに、前記第１軸支部と前記第３軸支部との距離と、前記第２軸支部と前記第４軸支部との距離と、が互いに等しい液剤吐出容器。
＜１５＞液剤を貯留する容器本体と、前記容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、水平な軸を持つ第１軸支部において前記装着部に対して揺動可能に軸支され、前記第１軸支部を支点として下向き方向及びその反対方向に揺動可能な第１揺動部と、前記第１軸支部の軸に対して平行な軸を持つ第２軸支部において前記第１揺動部に対して揺動可能に軸支され、前記第２軸支部を支点として下向き方向及びその反対方向に揺動可能な第２揺動部と、前記第２揺動部に一体に設けられているとともに前記装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、前記ヘッド部と一体に形成され、前記操作部が押し下げられる際に前記第２揺動部をガイドし摺動させるガイド部と、を備え、前記第２揺動部は、前記第２軸支部を基準として水平方向において前記第１軸支部側の位置で前記ガイド部に沿って摺動する液剤吐出容器。
＜１６＞液剤を貯留する容器本体と、前記容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、水平な軸を持つ第１軸支部において前記装着部に対して揺動可能に軸支され、前記第１軸支部を支点として下向き方向及びその反対方向に揺動可能な第１揺動部と、前記第１軸支部の軸に対して平行な軸を持つ第２軸支部において前記第１揺動部に対して揺動可能に軸支され、前記第２軸支部を支点として下向き方向及びその反対方向に揺動可能な第２揺動部と、前記第１軸支部の軸に対して平行な軸を持つ第３軸支部において前記第２揺動部に対して揺動可能に軸支され、前記第３軸支部を支点として下向き方向及びその反対方向に揺動可能な第３揺動部と、前記第３揺動部に一体に設けられているとともに前記装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、前記ヘッド部又は前記第３揺動部の一方に形成されていて前記装着部に対する前記ヘッド部の移動方向と平行に延在しているガイド部と、前記ヘッド部又は前記第３揺動部の他方に形成されていて、前記操作部が押し下げられる際に前記ガイド部に沿って下方に摺動する被ガイド部と、を備える液剤吐出容器。
＜１７＞前記作用部は、前記ヘッド部又は前記第１揺動部の一方から水平方向成分を持つ方向に突出した状態に形成されている突起部と、前記ヘッド部又は前記第１揺動部の他方に形成され、前記突起部に対して摺動しながら前記突起部を下方に押し下げるか又は前記突起部により下方に押し下げられる作用面と、を含み、前記作用面は、前記第１揺動部の揺動角度が第１角度のときと、前記揺動角度が前記第１角度とは異なる第２角度のときと、の各々において、前記作用面における前記突起部との接触部位が前記装着部に対する前記ヘッド部の移動方向に対して直交する曲面形状に形成されている＜１＞から＜１６＞のいずれか一項に記載の液剤吐出容器。
＜１８＞液剤を貯留する容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、前記装着部に対して第１軸支部において揺動可能に軸支され、前記第１軸支部を支点として下向き成分を持つ方向及びその反対方向に揺動可能な第１揺動部と、前記第１揺動部に対して第２軸支部において揺動可能に軸支され、前記第２軸支部を支点として下向き成分を持つ方向及びその反対方向に揺動可能な第２揺動部と、前記第２揺動部によって直接又は間接に支持されているとともに前記装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、前記操作部が押し下げられる際に、前記第１揺動部に対する前記第２揺動部の揺動方向を、前記装着部に対する前記第１揺動部の揺動による前記操作部の姿勢変化を相殺する方向に規制する揺動規制部と、を備える液剤吐出器付きキャップ。
＜１９＞液剤を貯留する容器本体に装着される装着部と、前記装着部に対して上下動可能に前記装着部に保持され、前記装着部に対して相対的に押し下げられることにより前記液剤を通過させるヘッド部と、前記ヘッド部を通過した前記液剤を吐出する吐出口と、を備える液剤吐出器付きキャップに装着して用いられる液体吐出器用アタッチメントであって、前記装着部に装着される第２装着部と、前記第２装着部に対して第１軸支部において揺動可能に軸支され、前記第１軸支部を支点として下向き成分を持つ方向及びその反対方向に揺動可能な第１揺動部と、前記第１揺動部に対して第２軸支部において揺動可能に軸支され、前記第２軸支部を支点として下向き成分を持つ方向及びその反対方向に揺動可能な第２揺動部と、前記第２揺動部によって直接又は間接に支持されているとともに前記第２装着部に対して相対的に押し下げられる操作部と、前記第１軸支部と前記第２軸支部との間に位置し、前記操作部が押し下げられる際に前記第１揺動部から前記ヘッド部に対して押下力を伝達する作用部と、前記操作部が押し下げられる際に、前記第１揺動部に対する前記第２揺動部の揺動方向を、前記第２装着部に対する前記第１揺動部の揺動による前記操作部の姿勢変化を相殺する方向に規制する揺動規制部と、を備える液体吐出器用アタッチメント。
＜２０＞＜１＞から＜１７＞のいずれか一項に記載の液剤吐出容器と、前記容器本体に充填された前記液剤と、を備える液剤吐出容器詰め品。
【符号の説明】
【０１０４】
１０  容器本体
２０  操作部
２３  被ガイド部
３０  ヘッド部
３１  ヘッド本体部
３３  突起部（作用部）
３５  突起部
３６  ガイド面（ガイド部）
４０  ノズル部
４１  吐出口
４２  上面（ガイド部）
５０  液剤吐出器付きキャップ
５２  装着部        
６０  第１揺動部
６３  作用面（作用部）
７０  第２揺動部
７３  被ガイド突起（被ガイド部）
７５ａ  上縁（被ガイド部）
８０  第３揺動部
９１  第１軸支部
９２  第２軸支部
９３  第３軸支部
９４  第４軸支部
１００  液剤吐出容器
１１０  ガイド形成部
１１１  ガイド溝（ガイド部）
１２０  被ガイド形成部
１２１  被ガイド溝（被ガイド部）
１３０  ガイド部
１５０  液剤
２００  液剤吐出容器詰め品
【図１】
0006680598.tif 000002
【図２】
0006680598.tif 000003
【図３】
0006680598.tif 000004
【図４】
0006680598.tif 000005
【図５】
0006680598.tif 000006
【図６】
0006680598.tif 000007
【図７】
0006680598.tif 000008
【図８】
0006680598.tif 000009
【図９】
0006680598.tif 000010
【図１０】
0006680598.tif 000011
【図１１】
0006680598.tif 000012
【図１２】
0006680598.tif 000013
【図１３】
0006680598.tif 000014
【図１４】
0006680598.tif 000015
【図１５】
0006680598.tif 000016
【図１６】
0006680598.tif 000017
【図１７】
0006680598.tif 000018
【図１８】
0006680598.tif 000019
【図１９】
0006680598.tif 000020
【図２０】
0006680598.tif 000021
【図２１】
0006680598.tif 000022
【図２２】
0006680598.tif 000023
【図２３】
0006680598.tif 000024
【図２４】
0006680598.tif 000025
【図２５】
0006680598.tif 000026